(57)【要約】【課題】  各色毎で発光効率の異なる電気光学素子を備えた電気光学装置において、その色毎の輝度のムラが無い表示品位の優れた電気光学装置及び電子機器を提供する。【解決手段】  クロック信号CLKの２周期分の長さを有する連続パルス信号と各緑、赤及び青用有機ＥＬ素子７G，７R，７Bの発光効率に応じてそのタイミングが設定された第１〜第３単発パルス信号とで構成されたスタートパルス信号ＳＰを走査線駆動回路用ＩＣ８に入力した。そして、走査線駆動回路用ＩＣ８は、連続パルス信号が入力されたときに、各緑、赤及び青用画素６G，６R，６Bを同期して選択し各画素６にデータ信号ＩＤG，ＩＤR，ＩＤBを書き込ませ、その後、単発パルス信号が入力されたときに、発光効率が高い順に各緑、赤及び青用有機ＥＬ素子７G，７R，７Bを順次消灯するようにした。【選択図】  図２
2006113325.tif 000002
【特許請求の範囲】
【請求項１】
複数のデータ線に対して交差するように配線された複数の走査線の各々に対応して設けられ、スタート信号線からのスタート信号を、クロック信号に応答して順次シフトさせ、そのシフトさせた前記スタート信号に応答して対応する走査線に走査信号を出力するシフトレジスタを備え、
前記走査信号が出力された前記各走査線上の各画素に前記データ線を介してデータ信号を供給し、前記データ信号に相対した駆動電流を前記画素に含まれた電気光学素子に供給するようにした電気光学装置において、
前記スタート信号線に、スタート信号の他に、各走査線上に接続された異なる発光色の画素の消灯タイミング信号を出力する信号生成回路と、
前記各走査線に対してそれぞれ設けられ、その走査線と対応するシフトレジスタからの出力信号とその対応するシフトレジスタに隣接する複数のシフトレジスタからの出力信号に基づいて前記走査信号を生成するとともに、前記走査線上に接続された各画素について各発光色の画素毎に消灯タイミング信号を生成するデコーダ回路と
を設けたことを特徴とする電気光学装置。
【請求項２】
請求項１に記載の電気光学装置において、
前記電気光学素子は、緑色の光を出射する緑用電気光学素子、赤色の光を出射する赤用電気光学素子及び青色の光を出射する青用電気光学素子であり、
前記異なる発光色の画素は、前記緑用電気光学素子を含んだ緑用画素、前記赤用電気光学素子を含んだ赤用画素及び前記青用電気光学素子を含んだ青用画素であり、
前記デコーダ回路は、前記走査線上の各前記緑用画素、前記赤用画素及び前記青用画素について前記緑用画素、前記赤用画素及び前記青用画素毎に独立した消灯タイミング信号を生成することを特徴とする電気光学装置。
【請求項３】
請求項１に記載の電気光学装置において、
前記電気光学素子は、緑色の光を出射する緑用電気光学素子、赤色の光を出射する赤用電気光学素子及び青色の光を出射する青用電気光学素子であり、
前記異なる発光色の画素は、前記緑用電気光学素子を含んだ緑用画素、前記赤用電気光学素子を含んだ赤用画素及び前記青用電気光学素子を含んだ青用画素であり、
前記デコーダ回路は、前記走査線上の各前記緑用画素、前記赤用画素及び前記青用画素のうちの２種類の画素にそれぞれ独立した消灯タイミング信号を生成することを特徴とする電気光学装置。
【請求項４】
請求項１に記載の電気光学装置において、
前記電気光学素子は、緑色の光を出射する緑用電気光学素子、赤色の光を出射する赤用電気光学素子及び青色の光を出射する青用電気光学素子であり、
前記異なる発光色の画素は、前記緑用電気光学素子を含んだ緑用画素、前記赤用電気光学素子を含んだ赤用画素及び前記青用電気光学素子を含んだ青用画素であり、
前記デコーダ回路は、前記走査線上の各前記緑用画素、前記赤用画素及び前記青用画素にそれぞれ同じ消灯タイミング信号を生成することを特徴とする電気光学装置。
【請求項５】
請求項１乃至４のいずれか一つに記載の電気光学装置において、
前記シフトレジスタと前記デコーダ回路は、１つの走査線駆動回路用ＩＣに実装され、
前記走査線駆動回路用ＩＣは、前記画素が形成されたパネル上に内蔵されていることを特徴とする電気光学装置。
【請求項６】
請求項１乃至５のいずれか一つに記載の電気光学装置において、
前記画素は、前記消灯タイミング信号に応じてオン・オフ制御することで前記電気光学
素子の発光を停止する消灯用のトランジスタを備えていることを特徴とする電気光学装置。
【請求項７】
請求項１乃至６のいずれか一つに記載の電気光学装置において、
前記信号生成回路は、前記複数の走査線を所定の方向に順次選択させる旨の転送方向制御信号と、前記所定の方向とは反対の方向に順次選択させる旨の反転転送方向制御信号を出力し、
前記シフトレジスタは、前記転送方向制御信号及び前記反転転送方向制御信号に基づいて前記走査信号を出力することを特徴とする電気光学装置。
【請求項８】
請求項２乃至７のいずれか一つに記載の電気光学装置において、
前記緑用電気光学素子、赤用電気光学素子、青用電気光学素子は、それぞれその発光層が有機材料で構成された有機エレクトロルミネッセンス素子であることを特徴とする電気光学装置。
【請求項９】
請求項１乃至８のいずれか一つに記載の電気光学装置を備えたことを特徴とする電子機器。
【発明の詳細な説明】
【技術分野】
【０００１】
本発明は、電気光学装置及び電子機器に関するものである。
【背景技術】
【０００２】
一般に、アクティブマトリクス駆動方式の電気光学装置は、各データ線と走査線との交差部に配設された画素に薄膜ダイオードや薄膜トランジスタなどのスイッチング素子を備えている。そして、走査線駆動回路からの走査信号によってスイッチング素子がオン・オフ制御され、スイッチング素子がオンされたタイミングと同期してデータ線駆動回路からデータ信号が供給されるようになっている。
【０００３】
ところで、アクティブマトリクス駆動方式の電気光学装置としてのフルカラー表示可能な有機エレクトロルミネッセンスディスプレイでは、赤、緑、青色の光を出射する有機エレクトロルミネッセンス素子を備えた画素を備えている。この種の有機エレクトロルミネッセンスディスプレイでは、各赤、緑及び青色用有機エレクトロルミネッセンス素子の発光効率が異なる場合、たとえば、緑色用有機エレクトロルミネッセンス素子の発光効率が、他の赤又は青色用有機エレクトロルミネッセンス素子の発光効率よりも高い場合、各有機エレクトロルミネッセンス素子の発光期間を等しくすると、発光効率が異なるために色バランスが崩れてしまうという問題があった。
【０００４】
そこで、各画素の発光期間を制御する制御トランジスタを備え、その制御トランジスタを各色毎にその発光効率に基づいた期間だけオンさせるようにしたものが提案されている（例えば、特許文献１）。
【特許文献１】特開２００３−９９０１９号公報
【発明の開示】
【発明が解決しようとする課題】
【０００５】
しかしながら、上記特許文献１に記載の電気光学装置では、制御トランジスタを制御するための処理回路を各色毎に、即ち、赤、緑及び青色に対応して３系統の処理回路を作り込まなければならない。この場合、各処理回路をそれぞれ駆動させるためのクロック信号を色毎に供給しなければならなくなり、誤作動等が生じやすくなるという問題が生じる。また、色毎に処理回路をそれぞれ作り込まなければならないので、その分、回路規模が３倍となるために、電気光学装置全体の回路規模が大きくなってしまう。
【０００６】
本発明の目的は、各色毎で発光効率の異なる電気光学素子を備えた電気光学装置において、その色毎の輝度のムラが無い表示品位の優れた表示を可能とする電気光学装置及び電子機器を提供することである。
【課題を解決するための手段】
【０００７】
本発明の電気光学装置は、複数のデータ線に対して交差するように配線された複数の走査線の各々に対応して設けられ、スタート信号線からのスタート信号を、クロック信号に応答して順次シフトさせ、そのシフトさせた前記スタート信号に応答して対応する走査線に走査信号を出力するシフトレジスタを備え、前記走査信号が出力された前記各走査線上の各画素に前記データ線を介してデータ信号を供給し、前記データ信号に相対した駆動電流を前記画素に含まれた電気光学素子に供給するようにした電気光学装置において、前記スタート信号線に、スタート信号の他に、各走査線上に接続された異なる発光色の画素の消灯タイミング信号を出力する信号生成回路と、前記各走査線に対してそれぞれ設けられ、その走査線と対応するシフトレジスタからの出力信号とその対応するシフトレジスタに
隣接する複数のシフトレジスタからの出力信号に基づいて前記走査信号を生成するとともに、前記走査線上に接続された各画素について各発光色の画素毎に消灯タイミング信号を生成するデコーダ回路とを設けた。
【０００８】
これによれば、異なる発光色の画素毎に独立したタイミングで消灯させることができる。この結果、色毎にその発光効率が異なる場合は、その発光効率にあわせて消灯タイミングを決定することで色バランスが良好な電気光学装置を提供することができる。
【０００９】
しかも、本発明においては、１本のスタート信号線にスタート信号の他に、各発光色の画素の消灯タイミング信号を合わせて供給するようにしたので、従来のように、各色毎に消灯タイミング信号を供給するため配線を設ける必要はない。この結果、信号生成回路の配線ピッチを大きくすることができる。
【００１０】
また、各色毎にデコーダ回路を設ける必要はないので、各色毎にデコーダ回路を設けた場合に比べて、回路規模を小さくすることができる。
この電気光学装置において、前記電気光学素子は、緑色の光を出射する緑用電気光学素子、赤色の光を出射する赤用電気光学素子及び青色の光を出射する青用電気光学素子であり、前記異なる発光色の画素は、前記緑用電気光学素子を含んだ緑用画素、前記赤用電気光学素子を含んだ赤用画素及び前記青用電気光学素子を含んだ青用画素であり、前記デコーダ回路は、前記走査線上の各前記緑用画素、前記赤用画素及び前記青用画素について前記緑用画素、前記赤用画素及び前記青用画素毎に独立した消灯タイミング信号を生成するものであってもよい。
【００１１】
これによれば、緑色、赤色及び青色の光をそれぞれ出射させて混合させることでフルカラー表示可能な電気光学装置において、各走査線上の緑色画素、赤色画素及び青色画素毎に独立してその対応する色の電気光学素子の消灯タイミングを制御することができる。従って、緑用電気光学素子、赤用電気光学素子及び青用電気光学素子の各発光効率が互いに異なり、例えば、緑用電気光学素子→赤用電気光学素子→青用電気光学素子の順に発光効率が低くなる場合では、緑用電気光学素子→赤用電気光学素子→青用電気光学素子の順に各電気光学素子を消灯させるようにする。このようにすることで、各緑、赤及び青用電気光学素子の発光効率が異なることに起因するホワイトバランスのずれを補正することができる。
【００１２】
この電気光学装置において、前記電気光学素子は、緑色の光を出射する緑用電気光学素子、赤色の光を出射する赤用電気光学素子及び青色の光を出射する青用電気光学素子であり、前記異なる発光色の画素は、前記緑用電気光学素子を含んだ緑用画素、前記赤用電気光学素子を含んだ赤用画素及び前記青用電気光学素子を含んだ青用画素であり、前記デコーダ回路は、前記走査線上の各前記緑用画素、前記赤用画素及び前記青用画素のうちの２種類の画素にそれぞれ独立した消灯タイミング信号を生成するものであってもよい。
【００１３】
これによれば、緑色、赤色及び青色の光をそれぞれ出射させて混合させることでフルカラー表示可能な電気光学装置において、例えば、赤用電気光学素子及び青用電気光学素子の各発光効率が、緑用電気光学素子の発光効率より低い場合、デコーダ回路からは緑色画素、赤色画素及び青色画素のうちに２種類の画素、たとえば、緑色画素と、赤及び青色画素とに赤用電気光学素子及び青用電気光学素子を消灯させるタイミングを緑用電気光学素子を消灯させるタイミングより長くする消灯タイミング信号を出力するようにする。これにより、赤用電気光学素子及び青用電気光学素子の各発光効率が、緑用電気光学素子の発光効率より低い場合であっても、それに起因するホワイトバランスのずれを補正することができる。
【００１４】
この電気光学装置において、前記電気光学素子は、緑色の光を出射する緑用電気光学素子、赤色の光を出射する赤用電気光学素子及び青色の光を出射する青用電気光学素子であり、前記異なる発光色の画素は、前記緑用電気光学素子を含んだ緑用画素、前記赤用電気光学素子を含んだ赤用画素及び前記青用電気光学素子を含んだ青用画素であり、前記デコーダ回路は、前記走査線上の各前記緑用画素、前記赤用画素及び前記青用画素にそれぞれ同じ消灯タイミング信号を生成するものであってもよい。
【００１５】
これによれば、緑色、赤色及び青色の光をそれぞれ出射させて混合させることでフルカラー表示可能な電気光学装置において、各緑、赤及び青用電気光学素子を消灯させるタイミングを同期させることができる。従って、緑、赤及び青用電気光学素子の各発光効率が、全て同じである場合、各発光効率に起因するホワイトバランスを崩すことなく制御することができる。
【００１６】
この電気光学装置において、前記シフトレジスタと前記デコーダ回路は、１つの走査線駆動回路用ＩＣに実装され、前記走査線駆動回路用ＩＣは、前記画素が形成されたパネル上に内蔵されていてもよい。
【００１７】
これによれば、シフトレジスタとデコーダ回路を１つの走査線駆動回路用ＩＣに実装した。走査線駆動回路用ＩＣ内のシフトレジスタとデコーダ回路は、各走査線上に配置された各画素に共通に接続されている。従って、各緑、赤及び青用画素毎に、それぞれ３種類のシフトレジスタ及びデコーダを用意することないので、走査線駆動回路用ＩＣ自体を小型化することができる。この結果、走査線駆動回路用ＩＣを形成するスペースを小さくし電気光学装置の挟額縁化を実現することができる。
【００１８】
この電気光学装置において、前記信号生成回路は、前記複数の走査線を所定の方向に順次選択させる旨の転送方向制御信号と、前記所定の方向とは反対の方向に順次選択させる旨の反転転送方向制御信号を出力し、前記シフトレジスタは、前記転送方向制御信号及び前記反転転送方向制御信号に基づいて前記走査信号を出力するようにしてもよい。
これによれば、転送方向制御信号または反転転送方向制御信号を切り換えて走査線駆動回路用ＩＣに供給することで表示される画像の向きを反転させることができる。
【００１９】
この電気光学装置において、前記画素は、前記消灯タイミング信号に応じてオン・オフ制御することで前記電気光学素子の発光を停止する消灯用のトランジスタを備えていてもよい。
これによれば、画素の回路構成を簡素にすることができる。
【００２０】
この電気光学装置において、前記緑用電気光学素子、赤用電気光学素子、青用電気光学素子は、それぞれその発光層が有機材料で構成された有機エレクトロルミネッセンス素子であってもよい。
【００２１】
これによれば、各緑、赤及び青用電気光学素子が有機エレクトロルミネッセンス素子で構成された場合に対して、その色毎の電気光学素子の発光効率が異なることに起因するホワイトバランスのずれを補正することができる。
【００２２】
本実施形態の電子機器は、上記記載の電気光学装置を備えている。
これによれば、電気光学素子の発光効率が色毎で異なっても、発光デューティーを調整することでホワイトバランスを調整することができ、ホワイトバランスが取れて、かつ、表示品位の優れた表示が可能な電子機器を提供することができる。
【発明を実施するための最良の形態】
【００２３】
（第１実施形態）
図１は、本発明の有機ＥＬディスプレイの上面図であり、図２は、有機ＥＬディスプレイの電気的構成を説明するための図である。
【００２４】
図１に示すように、有機ＥＬディスプレイ１は、表示パネル部２と、該表示パネル部２の一側（図１中下側）に接続されたフレキシブル回路基板３を備えている。表示パネル部２は、その略中央に表示部Ｒを、また、表示部Ｒを囲む外周部に非表示部Ｑを備えている。一方、フレキシブル回路基板３は、データ線駆動回路４及び信号生成回路５を備えている。
（表示部Ｒ）
図２に示すように、表示部Ｒには、行方向にｎ本の選択線ＬＹ1s，ＬＹ2s，…，ＬＹnsが配線されている。選択線ＬＹ1s〜ＬＹnsは、図２中上側から下側に向かって第１選択線ＬＹ1s、第２選択線ＬＹ2s、…、第ｎ選択線ＬＹnsの順に配線されている。また、表示部Ｒには、選択線ＬＹ1s〜ＬＹnsに平行にそれぞれｎ本の緑用消灯制御線ＬＹ1G，ＬＹ2G，…，ＬＹnG、赤用消灯制御線ＬＹ1R，ＬＹ2R，…，ＬＹnR及び青用消灯制御線ＬＹ1B，ＬＹ2B，…，ＬＹnBが配線されている。
【００２５】
そして、第１選択線ＬＹ1s、第１緑用消灯制御線ＬＹ1G、第１赤用消灯制御線ＬＹ1R及び第１青用消灯制御線ＬＹ1Bで一組の第１走査線ＬＹ1が構成され、第２選択線ＬＹ2s、
第２緑用消灯制御線ＬＹ2G、第２赤用消灯制御線ＬＹ2R及び第２青用消灯制御線ＬＹ2Bで一組の第２走査線ＬＹ2が構成され、…、第ｎ選択線ＬＹns、第ｎ緑用消灯制御線ＬＹnG
、第ｎ赤用消灯制御線ＬＹnR及び第ｎ青用消灯制御線ＬＹnBで一組の第ｎ走査線ＬＹnが
構成されている。
【００２６】
各第１〜第ｎ選択線ＬＹ1s〜ＬＹnsには、それぞれ２値（Ｈレベル、Ｌレベル）の電圧信号である選択信号ＳＣ（図９参照）が供給される。また、緑用消灯制御線ＬＹ1G〜ＬＹnG、赤用消灯制御線ＬＹ1R〜ＬＹnR及び青用消灯制御線ＬＹ1B〜ＬＹnBには、それぞれ２値（Ｈレベル、Ｌレベル）の電圧信号である制御信号ＳＧ，ＳＲ，ＳＢ（図９参照）が供給される。
【００２７】
また、図２に示すように、表示部Ｒには、列方向にそれぞれｍ本の青用データ線ＬＸB
、赤用データ線ＬＸR、緑用データ線ＬＸGが配線されている。各データ線ＬＸB，ＬＸR，ＬＸGは、図２に示すように、左側から右側に向かって青用データ線ＬＸB→赤用データ線ＬＸR→緑用データ線ＬＸG→青用データ線ＬＸB→…の順に繰り返して配線されている。
【００２８】
青用データ線ＬＸBには青用データ信号ＩＤBが、赤用データ線ＬＸRには赤用データ信
号ＩＤRが、緑用データ線ＬＸGには、緑用データ信号ＩＤGが供給される。
さらに、表示部Ｒには、各青用データ線ＬＸBに平行に青用電源線ＬＺBが、各赤用データ線ＬＸRに平行に赤用電源線ＬＺRが、また、各緑用データ線ＬＸGに平行に緑用電源線
ＬＺGがそれぞれ配線されている。各青用電源線ＬＺBには青用電源ＶBが、各赤用電源線
ＬＺRには赤用電源ＶRが、また、各緑用電源線ＬＺGには緑用電源ＶGが供給されるようになっている。
【００２９】
さらにまた、表示部Ｒには、各青用消灯制御線ＬＹ1B〜ＬＹnBと各青用データ線ＬＸB
との交差部に青用画素６Bが、各赤用消灯制御線ＬＹ1R〜ＬＹnRと各赤用データ線ＬＸRとの交差部に赤用画素６Rが、各緑用消灯制御線ＬＹ1G〜ＬＹnGと各緑用データ線ＬＸGとの交差部に緑用画素６Gがそれぞれ配置されている。
【００３０】
青用画素６Bは、発光層が有機材料で構成された青用有機ＥＬ素子７Bを備え、赤用画素６Rは、発光層が有機材料で構成された赤用有機ＥＬ素子７Rを備え、緑用画素６Gは、発
光層が有機材料で構成された緑用有機ＥＬ素子７Gを備えている。そして、互いに隣接し
て配置された青用画素６B、赤用画素６R及び緑用画素６Gで一つの画素６を構成している
。
【００３１】
また、図２に示すように、一本の選択線ＬＹ1s〜ＬＹnsは、行方向に沿って配置された全ての青用画素６B、赤用画素６R及び緑用画素６Gに共通して接続される。また、青用消
灯制御線ＬＹ1B〜ＬＹnBは青用画素６Bに、赤用消灯制御線ＬＹ1R〜ＬＹnRは赤用画素６
Ｒに、緑用消灯制御線ＬＹ1G〜ＬＹnGは緑用画素６Gに、それぞれ個別に接続されている
。
【００３２】
本実施形態では、各有機ＥＬ素子７B，７R，７Gは互いにその発光効率が異なっている
。そして、本実施形態では、説明の便宜上、緑用有機ＥＬ素子７Gの発光効率は、赤用有
機ＥＬ素子７Rの発光効率に比べて２倍高く、青用有機ＥＬ素子７Bの発光効率に比べて４倍高いものとして以下説明する。
【００３３】
次に、緑、赤、青用画素６G，６R，６Bの構成を説明する。各緑、赤、青用画素６G，６R，６Bは、本実施形態では、公知の画素を構成している。以下の説明では、緑、赤及び青用画素６G，６R，６Bは基本的に同じ回路構成なので、緑用画素６Gについてのみ説明し、他の赤又は青用画素６R，６Bについてはその説明を省略する。
【００３４】
図３は、第１選択線ＬＹ1sと緑用データ線ＬＸGとの交差部に配置された緑用画素６Ｇ
の回路構成を示す。
緑用画素６Gは、駆動トランジスタＱd、第１及び第２スイッチングトランジスタＱsw1
，Ｑsw2、消灯トランジスタＱL、緑用有機ＥＬ素子７Ｇ及び保持キャパシタＣoを有して
いる。駆動トランジスタＱdはＰチャネルＴＦＴより構成されている。第１及び第２スイ
ッチングトランジスタＱsw1，Ｑsw2及び消灯トランジスタＱLはそれぞれＮチャネルＴＦ
Ｔより構成されている。
【００３５】
駆動トランジスタＱdは、そのドレイン端子が消灯トランジスタＱLのドレイン端子に接続され、消灯トランジスタＱLのソース端子は緑用有機ＥＬ素子７Ｇの陽極に接続されて
いる。緑用有機ＥＬ素子７Ｇの陰極は接地されている。消灯トランジスタＱLのゲート端
子は第１緑用消灯制御線ＬＹ1Gに接続されている。消灯トランジスタＱLは、第１緑用消
灯制御線ＬＹ1Gを介して供給されるＨレベルの緑用制御信号ＳＧが供給されることで駆動トランジスタＱｄのドレイン端子と緑用有機ＥＬ素子７Ｇの陽極との電気的に接続し、Ｌレベルの制御信号ＳＧが供給されることで駆動トランジスタＱdのドレイン端子と緑用有
機ＥＬ素子７Ｇの陽極との電気的に遮断する。そして、消灯トランジスタＱLがオン状態
になると、駆動トランジスタＱdのオン状態に基づく駆動電流Ｉdが緑用有機ＥＬ素子７Ｇに供給されるようになっている。
【００３６】
駆動トランジスタＱdのソース端子は緑用電源線ＬＺGに接続され緑用電源ＶGが供給さ
れている。また、駆動トランジスタＱｄのソース／ゲート間には保持キャパシタＣoが接
続されている。さらに、駆動トランジスタＱdのゲート／ドレイン間には第２スイッチン
グトランジスタＱsw2が接続され、そのゲート端子は第１選択線ＬＹ1sに接続されている
。また、駆動トランジスタＱｄのドレイン端子は第１スイッチングトランジスタＱsw1の
ドレイン端子に接続され、その第１スイッチングトランジスタＱsw1のソース端子は緑用
データ線ＬＸGに接続されている。第１スイッチングトランジスタＱsw1のゲート端子は第１選択線ＬＹ1sに接続されている。そして、Ｈレベルの選択信号ＳＣが供給されて第１選択線ＬＹ1sが選択されると、第１及び第２スイッチングトランジスタＱsw1，Ｑsw2は、このＨレベルの選択信号ＳＣに応答して同期してオン状態になる。また、Ｌレベルの選択信号ＳＣが供給されて第１選択線ＬＹ1sが非選択されると、第１及び第２スイッチングトラ
ンジスタＱsw1，Ｑsw2は、このＬレベルの選択信号ＳＣに応答して同期してオフ状態になる。
【００３７】
次に、緑用画素６Gの動作をプログラム期間、発光期間及び消灯期間に分けて簡単に説
明する。
１．書き込み期間Ｔp
いま、Ｈレベルの選択信号ＳＣが供給されて第１選択線ＬＹ1sに選択されると、第１及び第２スイッチングトランジスタＱsw1，Ｑsw2がオン状態に設定される。第２スイッチングトランジスタＱsw2がオン状態になることで駆動トランジスタＱdがダイオード接続される。このとき、Ｌレベルの緑用制御信号ＳＧが供給されて消灯トランジスタＱLがオフ状
態に設定されている。
【００３８】
このタイミングで、緑用データ線ＬＸGにデータ信号ＩＤGが供給される。すると、データ信号ＩＤGが駆動トランジスタＱd→第１スイッチングトランジスタＱsw1→緑用データ
線ＬＸGという経路で同画素６Gに流れ込み、データ信号ＩＤGの書き込みが実行される。
【００３９】
２．発光期間Ｔo
前記状態から、選択信号ＳＣがＬレベルに立ち下がり、第１及び第２スイッチングトランジスタＱsw1，Ｑsw2がオフ状態に設定される。このとき、緑用制御信号ＳGがＨレベル
に立ち上がり、消灯トランジスタＱLがオン状態に設定される。すると、データ信号ＩＤGに対応した電荷が保持キャパシタＣｏに保持され、その保持された電荷量に応じた電圧で駆動トランジスタＱｄのゲート端子が押し上げられる。この結果、駆動トランジスタＱd
のソース／ドレインに、データ信号ＩＤGに対応した大きさの駆動電流Ｉdが流れる。そして、この駆動電流Ｉdは、駆動トランジスタＱd→消灯トランジスタＱL→緑用有機ＥＬ素
子７G→接地という経路で流れ、緑用有機ＥＬ素子７Ｇが駆動電流Ｉdに応じた輝度で発光を開始する。
【００４０】
３．消灯期間Ｔq
後記する緑色発光期間Ｔo経過後に、緑用制御信号ＳＧがＬレベルに立ち下がると、消
灯トランジスタＱLがオフ状態に設定される。この結果、駆動トランジスタＱdと緑用有機ＥＬ素子７Ｇとが電気的に遮断され、駆動電流Ｉdの供給が停止し、緑用有機ＥＬ素子７Gが消灯する。そして、次のプログラム期間Ｔpが終了するまで緑用有機ＥＬ素子７Gは消灯し続ける。
【００４１】
尚、緑用画素６Gは、他の各青用画素６B及び赤用画素６Rとともに選択線ＬＹ1sに共通
して接続されているので、選択線ＬＹ1sが選択されたタイミングで各青用画素６B、赤用
画素６R及び緑用画素６Gは一斉に同期してデータ信号ＩＤB，ＩＤR，ＩＤGの書き込みを
開始する。また、緑用画素６Gは、第１緑用消灯制御線ＬＹG1に接続されているので、他
の走査線ＬＹ１を構成する他の第１赤用消灯制御線ＬＹR1及び第１青用消灯制御線ＬＹB1に供給される制御信号ＳR，ＳBに左右されず、Ｌレベルの制御信号ＳＧが供給されるタイミングに応じて消灯される。
【００４２】
（信号生成回路５）
次に、信号生成回路５について説明する。信号生成回路５は、外部装置（図示せず）から図８に示すようなクロック信号CLK及び転送方向制御信号DIR（及びその反転転送方向制御信号／DIR）を入力する。信号生成回路５は、クロック信号CLKに基づいたスタートパルス信号ＳＰを生成し走査線駆動回路用ＩＣ８に出力する。
【００４３】
スタートパルス信号ＳＰは、図８に示すように、１フレーム（１Ｆ）周期において、最初に出力される連続パルス信号ＳＰ1と、同連続パルス信号ＳＰ1後に出力される３つの単
発パルス信号ＳＰ2a，ＳＰ2b，ＳＰ2cとから構成されている。
【００４４】
連続パルス信号ＳＰ1は、クロック信号CLKの２周期（＝2T）分の長さのＨレベルを有する。連続パルス信号ＳＰ1は、２周期（2T）分の長さのＨレベルのうちの後半のクロック
信号CLKの１周期（＝T）間で選択線ＬＹ1s〜ＬＹnsにＨレベルの選択信号ＳＣを出力させ、連続パルス信号ＳＰ1の立下がりのタイミングで各画素６G，６R，６Bの有機ＥＬ素子７Ｇ，７Ｒ，７Ｂの発光を同時に開始させるための信号である。
【００４５】
単発パルス信号ＳＰ2a，ＳＰ2b，ＳＰ2cは、発光した各有機ＥＬ素子７B，７R、７Gを
順次消灯させるタイミングを決定するための信号であって、クロック信号CLKの半周期（
＝Ｔ／２）分の長さのＨレベルを有する電圧信号である。第１単発パルス信号ＳＰ2 aは
、緑用有機ＥＬ素子７Gを消灯させるための信号であり、第２単発パルス信号ＳＰ2bは、
赤用有機ＥＬ素子７Rを消灯させるための信号であり、第３単発パルス信号ＳＰ2cは、青
用有機ＥＬ素子７Bを消灯させるための信号である。
【００４６】
本実施形態では、スタートパルス信号ＳＰは、連続パルス信号ＳＰ1の立下りから第１
単発パルス信号ＳＰ2aの立下りまでの期間Ｔa、連続パルス信号ＳＰ1の立下りから第２単発パルス信号ＳＰ2bの立下りまでの期間Ｔb、連続パルス信号ＳＰ1の立下りから第３単発パルス信号ＳＰ2cの立下りまでの期間Ｔcについて、前記各有機ＥＬ素子７B，７R，７Gの発光効率によって決められていて、以下の関係が成り立つ。
【００４７】
４Ｔa＝２Ｔb＝Ｔc
これにより、緑用有機ＥＬ素子７Gの発光期間を、赤用有機ＥＬ素子７Rの発光期間の１／２倍とし、また、青用有機ＥＬ素子７Bの発光期間の１／４倍としている。また、本実
施形態のスタートパルス信号ＳＰは、連続パルス信号ＳＰ1の立下りから第３単発パルス
信号ＳＰ2cの立下りまでの期間Ｔcが１フレーム（１Ｆ）期間の７０％となる信号である
。
【００４８】
転送方向制御信号DIR（及びその反転転送方向制御信号／DIR）は、選択線ＬＹ1s〜ＬＹnsを選択する順序を決定するための信号であって、２値（Ｈレベル、Ｌレベル）の電圧信号である。本実施形態では、信号生成回路５は、選択線ＬＹ1s〜ＬＹnsを第１選択線ＬＹ1s→第２選択線ＬＹ2s→…→第ｎ選択線ＬＹns→第１選択線ＬＹ1s→…の順序で、即ち、図２の表示部Ｒ上において上側から下側に順次選択させる場合は、Ｈレベルの転送方向制御信号DIR及びＬレベルの反転転送方向制御信号／DIRを出力する。一方、信号生成回路５は、選択線ＬＹ1s〜ＬＹnsを第ｎ選択線ＬＹns→…→第２選択線ＬＹ2s→第１選択線ＬＹ1s→第ｎ選択線ＬＹns→…の順序で、即ち、表示部Ｒ上において下側から上側に順次選択させる場合は、Ｌレベルの転送方向制御信号DIR及びＨレベルの反転転送方向制御信号／DIRを出力する。そして、信号生成回路５は、転送方向制御信号DIR（及びその反転転送方
向制御信号／DIR）を走査線駆動回路用ＩＣ８に出力する。
【００４９】
尚、本実施形態の信号生成回路５は、Ｈレベルの転送方向制御信号DIR及びＬレベルの
反転転送方向制御信号／DIRを出力して、選択線ＬＹ1s〜ＬＹnsを第１選択線ＬＹ1s→第
２選択線ＬＹ2s→…→第ｎ選択線ＬＹns→第１選択線ＬＹ1s→…の順序で、即ち、図１の表示部Ｒ上において上側から下側に順次選択するように設定されている。
【００５０】
（データ線駆動回路４）
データ線駆動回路４は、図２に示すように、それぞれｍ個の青用単一ラインドライバ２５B、赤用単一ラインドライバ２５R、緑用単一ラインドライバ２５Gを備えている。青用
単一ラインドライバ２５Bは青用データ線ＬＸBに接続され、赤用単一ラインドライバ２５Rは赤用データ線ＬＸRに接続され、緑用単一ラインドライバ２５Bは緑用データ線ＬＸGに
接続されている。
【００５１】
各単一ラインドライバ２５B，２５R，２５Gは、その内部にデジタル・アナログ変換回
路を備え、図示しない外部回路から画像データＤを入力する。そして、各単一ラインドライバ２５B，２５R，２５Gは、入力された画像データＤをデータ信号ＩＤB，ＩＤR，ＩＤGに変換する。データ線駆動回路４は、走査線駆動回路用ＩＣ８から出力される選択信号ＳＣのタイミングでデータ信号ＩＤB，ＩＤR，ＩＤGを一斉に出力する。
【００５２】
（非表示部Ｑ）
図１及び図２に示すように、非表示部Ｑには、走査線駆動回路用ＩＣ８が備えられている。図４に示すように、走査線駆動回路用ＩＣ８は、各走査線ＬＹ1〜ＬＹnに対応したｎ個のデコーダ１０と該デコーダ１０に接続したｎ＋１個のシフトレジスタ１１とを備えている。
【００５３】
デコーダ１０は、図４中上側から下側に向かって（即ち、表示部Ｒ上の上側から下側に向かって）、第１デコーダ１０a、第２デコーダ１０b、第３デコーダ１０c、第４デコー
ダ１０d、…の順に配置されている。シフトレジスタ１１は、図４中上側から下側に向か
って（即ち、表示部Ｒ上の上側から下側に向かって）、第１シフトレジスタ１１a、第２
シフトレジスタ１１b、第３シフトレジスタ１１c、第４シフトレジスタ１１d、第５シフ
トレジスタ１１e、…の順に配置されている。
【００５４】
各シフトレジスタ１１は、クロック信号供給線Ｌ1と接続され、信号生成回路５からの
クロック信号CLKを入力する。また、各シフトレジスタ１１は、転送方向制御信号供給線
Ｌ2a及び反転転送方向制御信号供給線Ｌ2bに接続され、信号生成回路５からの転送方向制御信号DIR及び反転転送方向制御信号／DIRを入力する。本実施形態の信号生成回路５は、前記したように、Ｈレベルの転送方向制御信号DIR及びＬレベルの反転転送方向制御信号
／DI R入力する。
【００５５】
また、第１シフトレジスタ１１aは、スタートパルス信号供給線Ｌ3を介してスタートパルス信号ＳＰを入力する。そして、第１シフトレジスタ１１ａは、スタートパルス信号ＳＰと同じ出力信号Ｆ２を次段の第２シフトレジスタ１１ｂに、第２シフトレジスタ１１ｂはその次段の第３シフトレジスタ１１ｃに、…、順次クロック信号CLKに応答して出力す
るようになっている。
【００５６】
詳述すると、図５に示すように、各シフトレジスタ１１は、第１及び第２制御用トランスミッションゲートＴＧ1，ＴＧ2、波形整形回路部１２、出力回路部１３、判断回路部１４を備えている。尚、説明の便宜上、第１シフトレジスタ１１aを代表して説明する。
【００５７】
第１制御用トランスミッションゲートＴＧ1は、判断回路部１４から出力される出力信
号ＳＺがＬレベルである場合に導通状態になり、クロック信号供給線Ｌ1を介してクロッ
ク信号CLKの入力を許可し、波形整形回路部１２に送る。また、第１制御用トランスミッ
ションゲートＴＧ1は、出力信号ＳＺがＨレベルである場合にハイインピーダンス状態に
なり、クロック信号CLKの入力を禁止する。
【００５８】
第２制御用トランスミッションゲートＴＧ2は、出力信号ＳＺがＨレベルである場合に
導通状態になり、波形整形回路部１２に接地電位Ｖgを入力させる。また、第２制御用ト
ランスミッションゲートＴＧ2は、出力信号ＳＺがＬレベルである場合にハイインピーダ
ンス状態になり、接地電位Ｖgの入力を禁止する。つまり、第２制御用トランスミッショ
ンゲートＴＧ2は、第１制御用トランスミッションゲートＴＧ1がハイインピーダンス状態である場合に、導通状態になり、波形整形回路部１２に接地電位Ｖgを入力させる。
【００５９】
波形整形回路部１２は、第１制御用トランスミッションゲートＴＧ1を介して入力され
たクロック信号CLKの波形形状を整形するとともに、出力回路部１３にクロック信号CLKに応じた第１及び第２制御信号Ｋ1，Ｋ2を出力する。具体的には、波形整形回路部１２は、本実施形態においては、７個のインバータ１５a〜１５gから構成されている。
【００６０】
第１及び第２インバータ１５a，１５bの入力端子は、第１制御用トランスミッションゲートＴＧ1に接続されている。第１インバータ１５aの出力端子は、第３インバータ１５ｃの入力端子に接続されている。
【００６１】
第２インバータ１５bの出力端子は、第４インバータ１５dの入力端子に接続されている。第４インバータ１５dの出力端子は、第５インバータ１５eの入力端子に接続されている。また、第１インバータ１５aの出力端子は、第６インバータ１５fを介して第５インバータ１５eの入力端子に接続されている。第４インバータ１５dの出力端子は、第７インバータ１５gを介して第３インバータ１５cの入力端子に接続されている。
【００６２】
第１及び第２インバータ１５a，１５bの入力端子に入力されたクロック信号CLKは、そ
のＨレベル及びＬレベルが適当な値に整形され、第３インバータ１５cの出力端子からク
ロック信号CLKと同相であって波形整形された第１制御信号Ｋ1として、また、第５インバータ１５eの出力端子からクロック信号CLKと反転した相であって波形整形された第２制御信号Ｋ2として出力される。
【００６３】
そして、第１制御用トランスミッションゲートＴＧ1が導通状態（第２制御用トランス
ミッションゲートＴＧ2がハイインピーダンス状態）である場合、Ｌレベルのクロック信
号CLKが入力されると、波形整形回路部１２は、Ｌレベルの第１制御信号Ｋ1を、また、Ｈレベルの第２制御信号Ｋ2を出力する。また、Ｈレベルのクロック信号CLKが入力されると、波形整形回路部１２は、Ｈレベルの第１制御信号Ｋ1を、また、Ｌレベルの第２制御信
号Ｋ2を出力する。
【００６４】
一方、第１制御用トランスミッションゲートＴＧ1がハイインピーダンス状態（第２制
御用トランスミッションゲートＴＧ2が導通状態）である場合、第１及び第２インバータ
１５a，１５bの入力端子にはＬレベル（接地電位Ｖg）が入力される。従って、波形整形
回路部１２は、Ｌレベルの第１制御信号Ｋ1を、また、Ｈレベルの第２制御信号Ｋ2を出力する。
【００６５】
出力回路部１３は、波形整形回路部１２から出力された第１及び第２制御信号Ｋ1，Ｋ2に基づいて駆動制御される４個の第１クロックドインバータ１６aと、転送方向制御信号DIRまたは反転転送方向制御信号／DIRに基づいて駆動制御される４個の第２クロックドイ
ンバータ１６bとを備えている。
【００６６】
第１制御信号Ｋ1に基づいて駆動制御される２個の第１クロックドインバータ１６a1の
うち、その一方の第１クロックドインバータ１６a1の入力端子Ｕ1は、反転転送方向制御
信号／DIRに基づいて駆動制御される２個の第２クロックドインバータ１６b1のうちの一
方の第２クロックドインバータ１６b1の出力端子Ｕ2に接続されている。そして、その第
１クロックドインバータ１６a1の出力端子Ｕ3は同第２クロックドインバータ１６b1の入
力端子Ｕ4に接続されている。
【００６７】
一方、２個の第１クロックドインバータ１６a1の他方は、その入力端子Ｕ5が、転送方
向制御信号DIRに基づいて駆動制御される２個の第２クロックドインバータ１６b2の一方
の第２クロックドインバータ１６b2の出力端子Ｕ6に接続されている。そして、その第１
クロックドインバータ１６a1の出力端子Ｕ7は同第２クロックドインバータ１６b2の入力
端子Ｕ8に接続されている。
【００６８】
第２制御信号Ｋ2に基づいて駆動制御される２個の第１クロックドインバータ１６a2の
うち、その一方第１クロックドインバータ１６a2の入力端子Ｕ9は、転送方向制御信号DIRに基づいて駆動制御される２個の第２クロックドインバータ１６b2の一方の第２クロックドインバータ１６b2の出力端子Ｕ10に接続されている。そして、その第１クロックドインバータ１６a2の出力端子Ｕ11は同第２クロックドインバータ１６b2の入力端子Ｕ12に接続されている。
【００６９】
一方、他方の第１クロックドインバータ１６a2は、その入力端子Ｕ13が、反転転送方向制御信号／DIRに基づいて駆動制御される他方の第２クロックドインバータ１６b1の出力
端子Ｕ14に接続されている。そして、その第１クロックドインバータ１６a2の出力端子Ｕ15は同第２クロックドインバータ１６b1の入力端子Ｕ16に接続されている。
【００７０】
そして、図５に示すように、第１クロックドインバータ１６a1と第２クロックドインバータ１６b1とで構成される２組の単位回路Ｃ1a，Ｃ2aと、第１クロックドインバータ１６a2と第２クロックドインバータ１６b2とで構成される２組の単位回路Ｃ1b，Ｃ2bは、交互に配置され互いに直列に接続されている。
【００７１】
即ち、図５中、最上段に位置する第１単位回路Ｃ1aは、その下段に位置する第２単位回路Ｃ1bに、同第２単位回路Ｃ1bはその下段に位置する第３単位回路Ｃ2bに、同第３単位回路Ｃ2bはその下段に位置する第４単位回路Ｃ2aに接続されている。
【００７２】
そして、第１単位回路Ｃ1aの入力端子は、スタートパルス信号供給線Ｌ3に接続され、
第４単位回路Ｃ2aの出力端子は、次段のシフトレジスタ１１bに接続されている。また、
第１単位回路Ｃ1aの入力端子と、第４単位回路Ｃ2aの出力端子は、判断回路部１４の入力端子にそれぞれ独立して電気的に接続されている。さらに、第２単位回路Ｃ1bの出力端子と第３単位回路Ｃ2bの入力端子の接続点（以下、「ノード」という）Ｗは、後段のデコーダ１０aに接続されている。
【００７３】
本実施形態においては、転送方向制御信号DIRはＨレベル、転送方向制御信号DIRはＬレベルであるので、第１及び第３単位回路Ｃ1a，Ｃ2bの各第２クロックドインバータ１６b
はハイインピーダンス状態であり、第２及び第４単位回路Ｃ1b，Ｃ2aの各第２クロックドインバータ１６bはアクティブとなっている。
【００７４】
判断回路部１４は、出力回路部１３（第４単位回路Ｃ2a）からの出力信号Ｆ2及びスタ
ートパルス信号ＳＰに応じて第１及び第２制御用トランスミッションゲートＴＧ1，ＴＧ2の導通状態またはハイインピーダンス状態を制御する。判断回路部１４は、本実施形態では２入力のノア回路１４aと等価な電子回路で構成されている。そして、ノア回路１４aの入力端子には、前記したように、前記第１単位回路Ｃ1aの入力端子と、前記第４単位回路Ｃ2aの出力端子が接続されている。
【００７５】
従って、判断回路部１４は、第１単位回路Ｃ1aにＬレベルのスタートパルス信号ＳＰが入力され、且つ、第４単位回路Ｃ2aの出力信号Ｆ2がＬレベルである場合にのみ、第１制
御用トランスミッションゲートＴＧ1をハイインピーダンス状態にし、それ以外は導通状
態にするための信号を出力する。
【００７６】
次に、シフトレジスタ１１の駆動方法について説明する。
まず、スタートパルス信号ＳＰが、暫くＬレベルである場合（図８中第１の期間Ｔaに
相当）、判断回路部１４には、Ｌレベルのスタートパルス信号ＳＰ及びＬレベルの出力信号Ｆ2が入力されるので、Ｈレベルの出力信号ＳＺが出力される。その結果、第１制御用
トランスミッションゲートＴＧ1はハイインピーダンス状態、第２制御用トランスミッシ
ョンゲートＴＧ2は導通状態になるので、クロック信号CLKの入力が禁止され、波形整形回路部１２にはＬレベルの電圧信号（接地電位Ｖg）が入力される。すると、波形整形回路
部１２からは、Ｌレベルの第１制御信号Ｋ1及びＨレベルの第２制御信号Ｋ2が出力される。このときの出力回路部１３の等価回路を図６（ａ）に示す。
【００７７】
すると、図６（ａ）に示すように、第１単位回路Ｃ1aの第１クロックドインバータ１６aはハイインピーダンス状態に、第２単位回路Ｃ1bの第１クロックドインバータ１６aはアクティブになる。この場合、先の期間でＬレベルのスタートパルス信号ＳＰが第１単位回路Ｃ1aに入力されていたため、第２単位回路Ｃ1bの第２クロックドインバータ１６bの入
力端子Ｕ12には、Ｈレベルの電圧信号が入力され、その電圧信号が第２単位回路Ｃ1bに保持されている。そして、Ｌレベルの出力信号Ｆ1が後段のデコーダ１０aへ出力される。
【００７８】
また、このとき、図６（ａ）に示すように、第３単位回路Ｃ2bの第１クロックドインバータ１６aはアクティブに、第４単位回路Ｃ2aの第１クロックドインバータ１６aはハイインピーダンス状態になる。この結果、第２単位回路Ｃ1bに保持された電圧信号に応じたＬレベルの出力信号Ｆ2が判断回路部１４及び次段のシフトレジスタ１１bへ出力される。
【００７９】
その後、連続パルス信号ＳＰ１が入力されると（図８中第２の期間Ｔbに相当）、判断
回路部１４はＬレベルの出力信号ＳＺを出力し、第１制御用トランスミッションゲートＴＧ1が導通状態になり、第２制御用トランスミッションゲートＴＧ2がハイインピーダンス状態になる。この結果、クロック信号CLKが第１制御用トランスミッションゲートＴＧ1を介して波形整形回路部１２に入力される。そして、Ｈレベルのクロック信号C LKが入力されると、波形整形回路部１２からＨレベルの第１制御信号Ｋ1及びＬレベルの第２制御信
号Ｋ2が出力される。このときの出力回路部１３の等価回路を図６（ｂ）に示す。
【００８０】
すると、図６（ｂ）に示すように、第１単位回路Ｃ1aの第１クロックドインバータ１６aはアクティブに、第２単位回路Ｃ1bの第１クロックドインバータ１６aはハイインピーダンス状態になるので、Ｈレベルの出力信号Ｆ1が後段のデコーダ１０aへ出力される。
【００８１】
また、このとき、図６（ｂ）に示すように、第３単位回路Ｃ2bの第１クロックドインバータ１６aはハイインピーダンス状態に、第４単位回路Ｃ2aの第１クロックドインバータ
１６aはアクティブになる。すると、第４単位回路Ｃ2aは、ラッチ回路として機能し、先
に第４単位回路Ｃ2aに入力された電圧信号に基づいてＬレベルの出力信号Ｆ2を判断回路
部１４及び次段のシフトレジスタ１１bに出力する。
【００８２】
その後、継続して連続パルス信号ＳＰ１のＨレベルの電圧信号が入力された状態で、Ｌレベルのクロック信号CLKが入力する（図８中第３の期間Ｔcに相当）。すると、波形整形回路部１２からＬレベルの第１制御信号Ｋ1が、Ｈレベルの第２制御信号Ｋ2が出力される。この結果、再び、出力回路部１３は図６（ａ）に示した等価回路となり、第１単位回路Ｃ1aの第１クロックドインバータ１６aは、ハイインピーダンス状態に、第２単位回路Ｃ1bの第１クロックドインバータ１６aは、アクティブになる。このとき、第２単位回路Ｃ1bはラッチ回路として機能し、先に第２単位回路Ｃ1bに入力されたＬレベルの電圧信号に基づいてＨレベルの出力信号Ｆ1を後段のデコーダ１０aへ出力する。
【００８３】
また、このとき、第３単位回路Ｃ2bの第１クロックドインバータ１６aはアクティブに
、第４単位回路Ｃ2aの第１クロックドインバータ１６aはハイインピーダンス状態になる
ので、Ｈレベルの出力信号Ｆ2が判断回路部１４及び次段のシフトレジスタ１１bへ出力す
る。
【００８４】
その後、継続して連続パルス信号ＳＰ１の後半部分であるＨレベルの信号が入力され、その状態で、Ｈレベルのクロック信号CLKが入力する（図８中第４の期間Ｔdに相当）。すると、判断回路部１４からＬレベルの出力信号ＳＺが出力され、第１制御用トランスミッションゲートＴＧ1が導通状態を維持して、第２制御用トランスミッションゲートＴＧ2がハイインピーダンス状態になる。この結果、Ｈレベルのクロック信号CLKが入力されると
、波形整形回路部１２からＨレベルの第１制御信号Ｋ1及びＬレベルの第２制御信号Ｋ2が出力される。
【００８５】
すると、再び、出力回路部１３は図６（ｂ）に示した等価回路となり、第１単位回路Ｃ1aの第１クロックドインバータ１６aはアクティブにし、第２単位回路Ｃ1bの第２クロッ
クドインバータ１６bはハイインピーダンス状態になるので、前記と同様にしてＨレベル
の出力信号Ｆ1が後段のデコーダ１０aへ出力される。
【００８６】
また、このとき、第３単位回路Ｃ2bの第１クロックドインバータ１６aはハイインピー
ダンス状態に、第４単位回路Ｃ2aの第１クロックドインバータ１６aはアクティブになる
ので、第４単位回路Ｃ2aは、再びラッチ回路として機能する。そして、このとき、先に第２単位回路Ｃ1bに保持されていたＬレベルの電圧信号に基づいて第４単位回路Ｃ2aの第２クロックドインバータ１６bにＬレベルの電圧信号が入力される。そして、その入力され
たＬレベルの電圧信号に基づいたＨレベルの出力信号Ｆ2が判断回路部１４及び次段のシ
フトレジスタ１１bに出力される。
【００８７】
続いて、Ｌレベルのクロック信号CLKが入力すると（図８中第５の期間Ｔeに相当）、波形整形回路部１２からＬレベルの第１制御信号Ｋ1及びＨレベルの第２制御信号Ｋ2が出力される。
【００８８】
すると、再び、図６（ａ）に示したように、第１単位回路Ｃ1aの第１クロックドインバータ１６aはハイインピーダンス状態に、第２単位回路Ｃ1bの第１クロックドインバータ
１６aはアクティブになる。すると、第２単位回路Ｃ1bは、再びラッチ回路として機能し
て、Ｈレベルの出力信号Ｆ1を後段のデコーダ１０aへ出力し続ける。
【００８９】
また、このとき、第３単位回路Ｃ2bの第１クロックドインバータ１６aはアクティブに
、第４単位回路Ｃ2aの第１クロックドインバータ１６aはハイインピーダンス状態になる
ので、Ｈレベルの出力信号Ｆ2を判断回路部１４及び次段のシフトレジスタ１１bに出力する。
【００９０】
その後、連続パルス信号ＳＰ１が立下り、Ｌレベルのスタートパルス信号ＳＰが入力される（図８中第６の期間Ｔfに相当）。すると、判断回路部１４からＬレベルの出力信号
ＳＺが出力され、第１制御用トランスミッションゲートＴＧ1が導通状態を維持して、第
２制御用トランスミッションゲートＴＧ2がハイインピーダンス状態になる。そして、Ｈ
レベルのクロック信号CLKが入力されると、波形整形回路部１２からＨレベルの第１制御
信号Ｋ1及びＬレベルの第２制御信号Ｋ2が出力される。
【００９１】
すると、図６（ｂ）に示したように、第１単位回路Ｃ1aの第１クロックドインバータ１６aはアクティブに、第２単位回路Ｃ1bの第１クロックドインバータ１６aはハイインピーダンス状態になるので、Ｌレベルの出力信号Ｆ1が後段のデコーダ１０aへ出力される。
【００９２】
また、このとき、第３単位回路Ｃ2bの第１クロックドインバータ１６aはハイインピー
ダンス状態に、第４単位回路Ｃ2aの第１クロックドインバータ１６aはアクティブになる
ので、第４単位回路Ｃ2aは、再びラッチ回路として機能する。そして、このとき、先に第４単位回路Ｃ2aの第２クロックドインバータ１６bに入力されたＬレベルの電圧信号に基
づいてＨレベルの出力信号Ｆ2が判断回路部１４及び次段のシフトレジスタ１１bへ出力される。
【００９３】
その後、継続してＬレベルのスタートパルス信号ＳＰが入力される（図８中第７の期間Ｔgに相当）。すると、判断回路部１４からＬレベルの出力信号ＳＺが出力され、第１制
御用トランスミッションゲートＴＧ1が導通状態を維持して、第２制御用トランスミッシ
ョンゲートＴＧ2がハイインピーダンス状態になる。
【００９４】
そして、Ｌレベルのクロック信号CLKが入力されると、波形整形回路部１２からＬレベ
ルの第１制御信号Ｋ1が、Ｈレベルの第２制御信号Ｋ2が出力される。
すると、図６（ａ）に示したように、第１単位回路Ｃ1aの第１クロックドインバータ１６aはハイインピーダンス状態に、第２単位回路Ｃ1bの第１クロックドインバータ１６aはアクティブになるので、第２単位回路Ｃ1bは、再びラッチ回路として機能する。そして、このとき、先に入力されたＬレベルのスタートパルス信号ＳＰに基づいてＬレベルの出力信号Ｆ1を後段のデコーダ１０aに出力し続ける。
【００９５】
また、このとき、前記と同様に、第３単位回路Ｃ2bの第１クロックドインバータ１６a
はアクティブに、第４単位回路Ｃ2aの第１クロックドインバータ１６aはハイインピーダ
ンス状態になる。すると、Ｌレベルの出力信号Ｆ2を判断回路部１４及び次段のシフトレ
ジスタ１１bに出力する。
【００９６】
従って、シフトレジスタ１１aは、図８に示すように、スタートパルス信号ＳＰに同期
した出力信号Ｆ1を順次後段のデコーダ１０aに出力するとともに、次段のシフトレジスタ１１bにクロック信号CLKの１周期（1T）遅れた出力信号Ｆ２を出力する。
【００９７】
また、第１〜第３単発パルス信号ＳＰ2a，ＳＰ2b，ＳＰ2cについても、前記と同様に、クロック信号CLKのタイミングに従って順次後段のデコーダ１０に出力するとともに、次
段のシフトレジスタ１１にクロック信号CLKの１周期（1T）遅れて出力する。
【００９８】
次に、デコーダ１０について説明する。図４に示すように、各デコーダ１０は、前段の隣接する３個のシフトレジスタ１１に接続している。デコーダ１０は、各シフトレジスタ１１から出力される第１出力信号Ｆ１に基づいて選択線ＬＹ1s〜ＬＹnsを選択駆動して各画素６のデータ信号ＩＤG，ＩＤR，ＩＤBの書き込みを実行させるための選択信号ＳＣを
出力する。また、デコーダ１０は、各シフトレジスタ１１から出力される第１出力信号Ｆ１に基づいて、各有機ＥＬ素子７G，７R，７Bの発光及び消灯の各制御を行うための制御
信号ＳＧ，ＳＲ，ＳＢを出力する。
【００９９】
以下、説明の便宜上、各デコーダ１０は、全て基本的に同じ回路構成を有しているので、代表して第１デコーダ１０aについてのみ説明する。
図７に示すように、第１デコーダ１０aは、前段に配置された第１〜第３シフトレジス
タ１１a〜１１cに接続され、各出力信号Ｆ1を入力するようになっている。尚、以下では
説明の便宜上、第1シフトレジスタ１１aからの出力信号Ｆ1を第１出力信号Ｆ1aとし、第
２シフトレジスタ１１bからの出力信号Ｆ２を第２出力信号Ｆ1bとし、第３シフトレジス
タ１１cからの出力信号Ｆ１を第３出力信号Ｆ1cとする。
【０１００】
第１デコーダ１０aは、転送方向制御信号DIRに基づいて制御される第１〜第４走査方向制御用トランスミッションゲートＴＧa，ＴＧb，ＴＧc，ＴＧdを備えている。第１及び第４走査方向制御用トランスミッションゲートＴＧa，ＴＧdは、それぞれＨレベルの転送方
向制御信号DIRが入力されると導通状態になり、Ｌレベルの転送方向制御信号DIRが入力されるとハイインピーダンス状態になる。第２及び第３走査方向制御用トランスミッションゲートＴＧb，ＴＧcは、それぞれＬレベルの転送方向制御信号DIRが入力されると導通状
態になり、Ｈレベルの転送方向制御信号DIRが入力されるとハイインピーダンス状態にな
る。
【０１０１】
また、第１デコーダ１０aは、第１アンド回路２０を備えている。第１アンド回路２０
は、２入力のアンド回路であって、その一方の入力端子には第１及び第３走査方向制御用トランスミッションゲートＴＧa，ＴＧcを介して第１出力信号Ｆ１a又は第３出力信号Ｆ
１cが入力される。他方の入力端子には第２出力信号Ｆ１bが入力される。第１アンド回路２０の出力端子は、第１バッファ２１aを介して第１選択線ＬＹ1sに接続されている。そ
して、第１アンド回路２０は、各出力信号Ｆ1a，Ｆ1b，Ｆ1cに基づいて第１選択線ＬＹ1sに選択信号ＳＣを出力する。
【０１０２】
本実施形態においては、常時Ｈレベルの転送方向制御信号DIRが入力されているので、
第１及び第４走査方向制御用トランスミッションゲートＴＧa，ＴＧdは導通状態になり、第２及び第３走査方向制御用トランスミッションゲートＴＧb，ＴＧcはハイインピーダンス状態に設定されている。従って、第１アンド回路２０には、その一方の入力端子に第１出力信号Ｆ１aが、また、他方の入力端子には第２出力信号Ｆ１bが入力される。
【０１０３】
そして、第１アンド回路２０は、第１及び第２出力信号Ｆ１a，Ｆ１bがともにＨレベルであるときに、第１選択線ＬＹ1sにＨレベルの選択信号ＳＣを出力し、同選択線ＬＹ1sを選択する。つまり、第１デコーダ１０aは、本実施形態においては、同第１デコーダ１０aに連続パルス信号ＳＰ1が供給されたときにのみ第１選択線ＬＹ1sにＨレベルの選択信号
ＳＣを出力し、第１選択線ＬＹ1sに接続された各画素６の第１及び第２スイッチングトランジスタＱsw1，Ｑsw2（図３参照）をオン状態にする。
【０１０４】
また、第１デコーダ１０aは、第２アンド回路２２、緑用制御回路２３G、赤用制御回路２３R、青用制御回路２３B、電圧制御用ナンド回路２４を備えている。
第２アンド回路２２は、３入力のアンド回路であって、その第１入力端子は第１走査方向制御用トランスミッションゲートＴＧa及び第３走査方向制御用トランスミッションゲ
ートＴＧcにインバータ回路２２ａを介して接続され、第１出力信号Ｆ１a又は第３出力信号Ｆ１cの反転信号が入力するようになっている。第２入力端子には第２出力信号Ｆ１bが入力するようになっている。第３入力端子には第２走査方向制御用トランスミッションゲートＴＧb及び第４走査方向制御用トランスミッションゲートＴＧdにインバータ回路２２ａを介して接続され、第１出力信号Ｆ１a又は第３出力信号Ｆ１cの反転信号が入力するようになっている。
【０１０５】
本実施形態においては、前記したように、Ｈレベルの転送方向制御信号DIRが供給され
ているので、第２アンド回路２２の第１入力端子には第１走査方向制御用トランスミッションゲートＴＧaを介して第１出力信号Ｆ１aが、また、第３入力端子には第４走査方向制御用トランスミッションゲートＴＧdを介して第３出力信号Ｆ１cが入力される。
【０１０６】
従って、本実施形態の第２アンド回路２２は、第１及び第３出力信号Ｆ１a，Ｆ１cがともにＬレベルで、且つ第２出力信号Ｆ１bがＨレベルである場合のみＨレベルの第１制御
信号ＳＳ1を出力し、他の場合ではＬレベルの第１制御信号ＳＳ1を出力する。つまり、第２アンド回路２２は、本実施形態においては、第１〜第３単発パルス信号ＳＰ2a，ＳＰ2b，ＳＰ2cを入力した場合のみ、Ｈレベルの第１制御信号ＳＳ1を出力する。
【０１０７】
電圧制御用ナンド回路２４は、２入力のナンド回路であって、その第１入力端子には第
２出力信号Ｆ１bが入力するようになっている。また、その第２入力端子には第２走査方
向制御用トランスミッションゲートＴＧb及び第４走査方向制御用トランスミッションゲ
ートＴＧdに接続され、第１出力信号Ｆ１a又は第３出力信号Ｆ１cが入力するようになっ
ている。本実施形態においては、前記したように、Ｈレベルの転送方向制御信号DIRが供
給されているので、電圧制御用ナンド回路２４の第２入力端子には第４走査方向制御用トランスミッションゲートＴＧdを介して第３出力信号Ｆ１cが入力する。
【０１０８】
そして、本実施形態の電圧制御用ナンド回路２４は、第２及び第３出力信号Ｆ１b，Ｆ
１cがともにＨレベルである場合のみＬレベルの第２制御信号ＳＳ2を出力し、他の場合ではＨレベルの第２制御信号ＳＳ2を出力する。つまり、電圧制御用ナンド回路２４は、本
実施形態においては、連続パルス信号ＳＰ1を入力した場合のみ、Ｌレベルの第２制御信
号ＳＳ2を出力する。
【０１０９】
緑用制御回路２３Gは、第１制御信号ＳＳ1及び第２制御信号ＳＳ2を入力する。また、
緑用制御回路２３Gは、第１及び第２インバータ２５a，２５bを介して緑用消灯制御線Ｌ
Ｙ1Gに接続されている。そして、緑用制御回路２３Gは、第１制御信号ＳＳ1及び第２制御信号ＳＳ2に基づいて、連続パルス信号ＳＰ1の立下りのタイミングで緑用有機ＥＬ素子７Gを発光させ、また、第１単発パルス信号ＳＰ2aの立下りのタイミングで緑用画素６Gの有機ＥＬ素子７Gを消灯させる機能を有する。
【０１１０】
詳しくは、緑用制御回路２３Gは、制御用インバータ２６、第１制御用トランスミッシ
ョンゲート２７a、第１制御信号生成用ナンド回路２８a、第１制御用クロックドインバータ２９a、第１電圧生成用トランジスタ３０aを備えている。
【０１１１】
第１制御用トランスミッションゲート２７aは、第１制御信号ＳＳ1により制御され、Ｌレベルの第１制御信号ＳＳ1が入力されると導通状態になり、Ｈレベルの第１制御信号Ｓ
Ｓ1が入力されるとハイインピーダンス状態になる。制御用インバータ２６は、第１制御
信号ＳＳ1を反転させ、第１制御信号生成用ナンド回路２８aに出力する。
【０１１２】
第１制御信号生成用ナンド回路２８aは、２入力のナンド回路であって、制御用インバ
ータ２６から出力された前記第１制御信号ＳＳ1を反転させた信号と、他方の入力端子に
入力される第１設定電圧Ｖ１がともにＨレベルのときにのみＬレベルの電圧信号を出力する。第１制御信号生成用ナンド回路２８aの出力端子は制御用クロックドインバータ２９aを介して前記第１制御信号生成用ナンド回路２８aの他方の入力端子及び第１制御用トラ
ンスミッションゲート２７aに接続されている。
【０１１３】
また、制御用クロックドインバータ２９aの出力端子には、第１電圧生成用トランジス
タ３０aのドレインが接続され、電圧生成用トランジスタ３０ａのソースには電源電圧Ｖ
Ｈ1が供給されている。この電源電圧ＶＨ1は、緑用画素６Gの消灯トランジスタＱLをオン状態にさせるためのＨレベルの制御信号ＳＧのための電源電圧である。第１電圧生成用トランジスタ３０aは、Ｐ型ＭＯＳトランジスタで構成されている。
【０１１４】
制御用クロックドインバータ２９a及び電圧生成用トランジスタ３０aは、第２制御信号ＳＳ2により駆動制御される。Ｈレベルの第２制御信号ＳＳ2が入力されると、制御用クロックドインバータ２９aはアクティブになるとともに、電圧生成用トランジスタ３０aはオフになる。すると、第１制御信号生成用ナンド回路２８aから出力された電圧信号が制御
用クロックドインバータ２９aにより反転され、その反転された電圧信号が第１制御用ト
ランスミッションゲート２７aに出力される。一方、Ｌレベルの第２制御信号ＳＳ2が入力されると、制御用クロックドインバータ２９aはハイインピーダンス状態になるとともに
、電圧生成用トランジスタ３０aはオン状態になる。すると、電源電圧ＶＨ1が第１制御用
トランスミッションゲート２７aに出力される。
【０１１５】
従って、緑用制御回路２３Gは、Ｌレベルの第１制御信号ＳＳ1を入力すると、第１制御用トランスミッションゲート２７aが導通状態になる。この状態で、Ｌレベルの第２制御
信号ＳＳ2を入力すると、電源電圧ＶＨ1が第１制御用トランスミッションゲート２７aを
介して緑用制御信号ＳＧとして出力する。つまり、第１制御信号ＳＳ1がＬレベルであっ
て、且つ第２制御信号ＳＳ2がＬレベルである場合、緑用制御回路２３Gは、Ｈレベルの緑用制御信号ＳＧを出力する。
【０１１６】
また、このとき、第１制御信号生成用ナンド回路２８aの前記他方の入力端子に入力さ
れる第１設定電圧Ｖ1は、Ｈレベルに設定される。従って、一端、緑用制御回路２３Gは、Ｈレベルの緑用制御信号ＳＧを出力すると、第２制御信号ＳＳ2がＨレベルになり電圧生
成用トランジスタ３０aがオフ状態になっても、Ｌレベルの第１制御信号ＳＳ1が入力されている間はＨレベルの緑用制御信号ＳＧを出力し続ける。
【０１１７】
また、緑用制御回路２３Gは、Ｈレベルの第１制御信号ＳＳ1を入力すると、第１制御用トランスミッションゲート２７aはハイインピーダンス状態になる。そして、その状態で
Ｈレベルの第２制御信号ＳＳ2が入力されると、第１制御信号生成用ナンド回路２８aの一方の入力端子には制御用インバータ２６を介してＬレベルの電圧信号が入力されているので、同第１制御信号生成用ナンド回路２８aからＨレベルの電圧信号が出力され、制御用
クロックドインバータ２９aを介して第１制御用トランスミッションゲート２７aにＬレベルの電圧信号が供給される。すると、第１制御信号生成用ナンド回路２８aの第１設定電
圧Ｖ１はＬレベルに設定される。従って、一端、緑用制御回路２３Gは、Ｌレベルの緑用
制御信号ＳＧを出力すると、緑用制御回路２３Gは、Ｌレベルの第１制御信号ＳＳ1が入力されている間はＬレベルの緑用制御信号ＳＧを出力し続ける。
【０１１８】
赤用制御回路２３Rは、第３及び第４インバータ２５c，２５dを介して赤用消灯制御線
ＬＹ1Rに接続されている。赤用制御回路２３Rは、第１インバータ２５a及び第１制御用ナンド回路２３aを介して緑用制御回路２３Gと接続されている。第１制御用ナンド回路２３aは、第２アンド回路２２からの第１制御信号ＳＳ1、及び、第１インバータ２５aを介し
て入力される電圧信号（緑用制御信号ＳＧの反転信号）が、ともにＨレベルであるときのみＬレベルの第３制御信号ＳＳ3を出力する回路である。そして、赤用制御回路２３Rは、第３制御信号ＳＳ3に基づいて、連続パルス信号ＳＰ1の立下りのタイミングで赤用有機ＥＬ素子７Rを発光させ、また、第２単発パルス信号ＳＰ2bの立下りのタイミングで赤用有
機ＥＬ素子７Rを消灯させる機能を有する。
【０１１９】
詳しくは、赤用制御回路２３Rは、第２制御用トランスミッションゲート２７b、第２制御信号生成用ナンド回路２８b、制御用クロックドインバータ２９b、第２電圧生成用トランジスタ３０bを備えている。
【０１２０】
第２制御信号生成用ナンド回路２８bは、第１制御用ナンド回路２３aから出力される第３制御信号ＳＳ3と、その他方の端子に入力される第２設定電圧Ｖ2とがともにＨレベルのときにのみＬレベルの電圧信号を出力する。第２制御信号生成用ナンド回路２８bの出力
端子は制御用クロックドインバータ２９bを介して前記第２制御信号生成用ナンド回路２
８bの他方の端子及び第２制御用トランスミッションゲート２７bに接続されている。また、制御用クロックドインバータ２９bの出力側端子には、第２電圧生成用トランジスタ３
０bのドレインが接続され、第２電圧生成用トランジスタ３０bのソースには電源電圧ＶＨ2が供給されている。この電源電圧ＶＨ2は、赤用画素６Rの消灯トランジスタＱLをオン状態にさせるためのＨレベルの制御信号ＳＧの電源電圧である。第２電圧生成用トランジスタ３０bは、ｐ型ＭＯＳトランジスタで構成されている。
【０１２１】
制御用クロックドインバータ２９b及び第２電圧生成用トランジスタ３０bは、第２制御信号ＳＳ2により駆動制御される。Ｈレベルの第２制御信号ＳＳ2が入力されると、制御用クロックドインバータ２９bはアクティブになるとともに、第２電圧生成用トランジスタ
３０bはオフになる。この結果、第２制御信号生成用ナンド回路２８bから出力された電圧信号は反転され、その反転された電圧信号が第２制御用トランスミッションゲート２７b
に出力される。一方、Ｌレベルの第２制御信号ＳＳ2が入力されると、制御用クロックド
インバータ２９bはハイインピーダンス状態となるとともに、第２電圧生成用トランジス
タ３０bはオンになり、電源電圧ＶＨ2が第２制御用トランスミッションゲート２７bに出
力される。
【０１２２】
従って、赤用制御回路２３Rは、Ｈレベルの第３制御信号ＳＳ3を入力すると、第２制御用トランスミッションゲート２７bが導通状態になる。この状態で、赤用制御回路２３Rは、Ｌレベルの第２制御信号ＳＳ2を入力すると、Ｈレベルの電源電圧ＶＨ2が第２制御用トランスミッションゲート２７bを介して赤用制御信号ＳＲとして出力する。つまり、第３
制御信号ＳＳ3がＨレベルであって、且つ第２制御信号ＳＳ2がＬレベルである場合、赤用制御回路２３Rは、Ｈレベルの赤用制御信号ＳＲを出力する。
【０１２３】
このとき、第２制御信号生成用ナンド回路２８bの前記他方の入力端子に入力される第
２設定電圧Ｖ2は、Ｈレベルに設定される。従って、一端、赤用制御回路２０Rは、Ｈレベルの赤用制御信号ＳＲを出力すると、第２制御信号ＳＳ2がＨレベルになり電圧生成用ト
ランジスタ３０bがオフ状態になっても、Ｈレベルの第３制御信号ＳＳ3が入力されている間はＨレベルの赤用制御信号ＳＲを出力し続ける。
【０１２４】
また、赤用制御回路２３Rは、Ｌレベルの第３制御信号ＳＳ3を入力すると第２制御用トランスミッションゲート２７bはハイインピーダンス状態になる。そして、その状態でＨ
レベルの第２制御信号ＳＳ2が入力されると、第２制御信号生成用ナンド回路２８bの一方の入力端子にはＨレベルの第３制御信号ＳＳ3が入力されているので、同第２制御信号生
成用ナンド回路２８bからＨレベルの電圧信号が出力され、制御用クロックドインバータ
２９bを介して第２制御用トランスミッションゲート２７bにＬレベルの電圧信号が供給される。すると、第２制御信号生成用ナンド回路２８bの前記他方の入力端子にはＬレベル
の電圧信号が入力され、これにより、第２設定電圧Ｖ2はＬレベルに設定される。従って
、一端、赤用制御回路２３Rは、Ｌレベルの赤用制御信号ＳＲを出力すると、赤用制御回
路２３Rは、Ｌレベルの第３制御信号ＳＳ3が入力されている間はＬレベルの赤用制御信号ＳRを出力し続ける。
【０１２５】
青用制御回路２３Bは、第２バッファ２１bを介して青用消灯制御線ＬＹ1Bに接続されている。青用制御回路２３Bは、第３インバータ２５c及び第２制御用ナンド回路２３bを介
して赤用制御回路２３Rと接続されている。第２制御用ナンド回路２３bは、第１制御信号ＳＳ1、及び、第３インバータ２５cを介して出力される電圧信号（赤用制御信号ＳRの反
転信号）が、ともにＨレベルであるときのみＬレベルの第４制御信号ＳＳ4を出力する回
路である。そして、青用制御回路２３Bは、第２制御信号ＳＳ2及び第４制御信号ＳＳ4に
基づいて、連続パルス信号ＳＰ１の立下りのタイミングで青用有機ＥＬ素子７Bを発光さ
せ、また、第３単発パルス信号ＳＰ2cの立下りのタイミングで青用有機ＥＬ素子７Bを消
灯させる機能を有する。
【０１２６】
詳しくは、青用制御回路２３Bは、第3制御用トランスミッションゲート２７c、第３制
御信号生成用ナンド回路２８c、制御用クロックドインバータ２９c、第３電圧生成用トランジスタ３０cを備えている。
【０１２７】
第３制御信号生成用ナンド回路２８cは、第２制御用ナンド回路２３bから入力される第４制御信号ＳＳ4と、その他方の入力端子に入力される第３設定電圧Ｖ3がともにＨレベルのときにのみＬレベルの電圧信号を出力する。第３制御信号生成用ナンド回路２８cの出
力端子は制御用クロックドインバータ２９cを介して前記他方の入力端子及び第３制御用
トランスミッションゲート２７cに接続されている。また、制御用クロックドインバータ
２９cの出力側端子には、第３電圧生成用トランジスタ３０cのドレインが接続され、電圧生成用トランジスタ３０cのソースには電源電圧ＶＨ３が供給されている。この電源電圧
ＶＨ３は、青用画素６Bの消灯トランジスタＱLをオン状態にさせるためのＨレベルの制御信号ＳＢのための電源電圧である。第３電圧生成用トランジスタ３０cは、ｐ型ＭＯＳト
ランジスタで構成されている。
【０１２８】
制御用クロックドインバータ２９c及び第３電圧生成用トランジスタ３０cは、第２制御信号ＳＳ2により駆動制御される。Ｈレベルの第２制御信号ＳＳ2が出力されると、制御用クロックドインバータ２９cはアクティブ、第３電圧生成用トランジスタ３０cはオフになるとともに、第３制御信号生成用ナンド回路２８cから出力された電圧信号は反転され、
その反転された電圧信号が第３制御用トランスミッションゲート２７cに出力される。一
方、Ｌレベルの第２制御信号ＳＳ2が出力されると、制御用クロックドインバータ２９cはハイインピーダンス状態になるとともに、第３電圧生成用トランジスタ３０cはオンにな
り、第３電源電圧ＶＨ3を第３制御用トランスミッションゲート２７cに出力する。
【０１２９】
従って、青用制御回路２３Bは、Ｈレベルの第４制御信号ＳＳ4を入力すると、第３制御用トランスミッションゲート２７cが導通状態になる。この状態で、青用制御回路２３Bは、Ｌレベルの第２制御信号ＳＳ2を入力すると、第３電圧生成用トランジスタ３０cがオン状態になるとともに、制御用クロックドインバータ２９cがハイインピーダンス状態にな
る。この結果、第３電圧生成用トランジスタ３０cからＨレベルの電源電圧ＶＨ3が第３制御用トランスミッションゲート２７cを介して青用制御信号ＳＢとして出力する。つまり
、第４制御信号ＳＳ4がＨレベルであって、且つ第２制御信号ＳＳ2がＬレベルである場合、青用制御回路２３Bは、Ｈレベルの青用制御信号ＳBを出力する。
【０１３０】
このとき、第３制御信号生成用ナンド回路２８cの前記他方の入力端子に入力される第
３設定電圧Ｖ3は、Ｈレベルに設定される。従って、一端、青用制御回路２０Bは、Ｈレベルの青用制御信号ＳＢを出力すると、第２制御信号ＳＳ2がＨレベルになり電圧生成用ト
ランジスタ３０cがオフ状態になっても、Ｈレベルの第４制御信号ＳＳ4が入力されている間はＨレベルの青用制御信号ＳＢを出力し続ける。
【０１３１】
また、青用制御回路２３Bは、Ｌレベルの第４制御信号ＳＳ4を入力すると第３制御用トランスミッションゲート２７cはハイインピーダンス状態になる。そして、その状態でＨ
レベルの第２制御信号ＳＳ2が入力されると、第３制御信号生成用ナンド回路２８cの一方の入力端子にはＨレベルの第４制御信号ＳＳ4が入力されているので、同第３制御信号生
成用ナンド回路２８cからＨレベルの電圧信号が出力され、制御用クロックドインバータ
２９cを介して第３制御用トランスミッションゲート２７cにＬレベルの電圧信号が供給される。すると、第３制御信号生成用ナンド回路２８cの前記他方の入力端子にはＬレベル
の電圧信号が入力され、これにより、第３設定電圧Ｖ3はＬレベルに設定される。従って
、一旦、青用制御回路２３Bは、Ｌレベルの青用制御信号ＳＢを出力すると、青用制御回
路２３Bは、Ｌレベルの第４制御信号ＳＳ4が入力されている間はＬレベルの青用制御信号ＳＢを出力し続ける。
【０１３２】
次に、デコーダ１０の駆動方法について説明する。
まず、前段のシフトレジスタ１１a，１１b，１１cから全てＬレベルである第１〜第３
出力信号Ｆ1a，Ｆ1b，Ｆ1cを入力する（図９中第１期間Ｔ１に相当）。この状態では、第
１アンド回路２０には、Ｌレベルの第１及び第２出力信号Ｆ1a，Ｆ1bが入力されるので、Ｌレベルに選択信号ＳＣが出力される。
【０１３３】
また、このとき、第２アンド回路２２からＬレベルの第１制御信号ＳＳ1が、また、電
圧制御用ナンド回路２４からＨレベルの第２制御信号ＳＳ2が出力される。このとき、初
期条件として、各制御回路２３G，２３R，２３Bの各第１，第２及び第３設定電圧Ｖ1，Ｖ2，Ｖ3は全てＬレベルに設定されているとする。
【０１３４】
すると、まず、緑用制御回路２３Gにおいては、第１制御用トランスミッションゲート
２７aが導通状態となる。そして、制御用インバータ２６を介してＨレベルの電圧信号が
第１制御信号生成用ナンド回路２８aに入力されるので、第１制御用トランスミッション
ゲート２７aを介してＬレベルの緑用制御信号ＳＧが出力される。この結果、各緑用画素
６Gの消灯トランジスタＱLはオフ状態になり、各緑用有機ＥＬ素子７Gは消灯している。
【０１３５】
赤用制御回路２３Rにおいては、第３制御信号ＳＳ3はＬレベルなので、第２制御用トランスミッションゲート２７bがハイインピーダンス状態となる。このとき、第２制御用ト
ランスミッションゲート２７bより画素６側の赤用消灯制御線ＬＹ1RがＬレベルであれば
、各赤用画素６Rの消灯トランジスタＱLがオフ状態になり、各赤用有機ＥＬ素子７Rは消
灯している。
【０１３６】
青用制御回路２３Bにおいては、第４制御信号ＳＳ4はＬレベルなので、第３制御用トランスミッションゲート２７cがハイインピーダンス状態となる。このとき、第３制御用ト
ランスミッションゲート２７cより画素６側の青用消灯制御線ＬＹ1BがＬレベルであれば
、各青用画素６Bの消灯トランジスタＱLがオフ状態になり、各青用有機ＥＬ素子７Bは消
灯している。
【０１３７】
続いて、図９中、第２期間Ｔ２に入り、前段の第１シフトレジスタ１１aからＨレベル
の第１出力信号Ｆ1aが出力され、第２シフトレジスタ１１bからＬレベルの第２出力信号
Ｆ1bが出力され、第３シフトレジスタ１１cからＬレベルの第３出力信号Ｆ1cが出力され
る。
【０１３８】
この状態では、第１アンド回路２０にはＨレベルの第１出力信号Ｆ1a及びＬレベルの第２出力信号Ｆ1bが入力されるので、Ｌレベルに選択信号ＳＣが出力される。また、このとき、Ｌレベルの第１制御信号ＳＳ1及びＨレベルの第２制御信号ＳＳ2が緑用制御回路２３Gに入力されるので、同緑用制御回路２３Gは、Ｌレベルの緑用制御信号ＳＧを出力し続ける。この結果、各緑用有機ＥＬ素子７Gは消灯し続ける。
【０１３９】
また、赤用制御回路２３Rにおいては、Ｌレベルの第３制御信号ＳＳ3及びＨレベルの第２制御信号ＳＳ2が赤用制御回路２３Rに入力されるので、同赤用制御回路２３Rは、Ｌレ
ベルの赤用制御信号ＳＲを出力し続ける。この結果、各赤用有機ＥＬ素子７Rは消灯して
いる。また、青用制御回路２３Bにおいては、Ｌレベルの第４制御信号ＳＳ4及びＨレベルの第２制御信号ＳＳ2が青用制御回路２３Bに入力されるので、同青用制御回路２３Bは、
Ｌレベルの青用制御信号ＳＢを出力し続ける。この結果、各青用有機ＥＬ素子７Bは消灯
している。
【０１４０】
続いて、図９中、第３期間Ｔ３に入り、前段の第１シフトレジスタ１１aから、Ｈレベ
ルの第１出力信号Ｆ1aが出力され、第２シフトレジスタ１１bからＨレベルの第２出力信
号Ｆ1bが出力され、第３シフトレジスタ１１cからＬレベルの第３出力信号Ｆ1cが出力さ
れる。
【０１４１】
この状態では、第１アンド回路２０には、ともにＨレベルの第１及び第２出力信号Ｆ1a，Ｆ1bが入力されるので、Ｈレベルに選択信号ＳＣが出力される。この結果、第１選択線ＬＹ1sにＨレベルの選択信号ＳＣが出力され、これにより、各画素６の全ての第１及び第２スイッチングトランジスタＱsw1，Ｑsw2ｇはオンになりデータ信号ＩＤG，ＩＤR，ＩＤBの書き込みが開始される。
【０１４２】
また、この状態では、第２アンド回路２２からＬレベルの第１制御信号ＳＳ1が、また
、電圧制御用ナンド回路２４からＨレベルの第２制御信号ＳＳ2が出力されているので、
同緑用制御回路２３Gは、Ｌレベルの緑用制御信号ＳＧを出力し続ける。この結果、各緑
用有機ＥＬ素子７Gは消灯し続ける。
【０１４３】
また、赤用制御回路２３Rにおいては、Ｌレベルの第３制御信号ＳＳ3及びＨレベルの第２制御信号ＳＳ2が赤用制御回路２３Rに入力されるので、同赤用制御回路２３Rは、Ｌレ
ベルの赤用制御信号ＳＲを出力し続ける。この結果、各赤用有機ＥＬ素子７Rは消灯して
いる。また、青用制御回路２３Bにおいては、Ｌレベルの第４制御信号ＳＳ4及びＨレベルの第２制御信号ＳＳ2が青用制御回路２３Bに入力されるので、同青用制御回路２３Bは、
Ｌレベルの青用制御信号ＳＢを出力し続ける。この結果、各青用有機ＥＬ素子７Bは消灯
している。
【０１４４】
続いて、図９中、第４期間Ｔ４に入り、前段の第１シフトレジスタ１１aからＬレベル
の第１出力信号Ｆ1aが出力され、第２シフトレジスタ１１bからＨレベルの第２出力信号
Ｆ1bが出力され、第３シフトレジスタ１１cからＨレベルの第３出力信号Ｆ1cが出力され
る。この状態では、第１アンド回路２０にはＬレベルの第１出力信号Ｆ1a及びＨレベルの第２出力信号Ｆ1bが入力されるので、Ｌレベルに選択信号ＳＣが出力される。従って、このタイミングでデータ信号ＩＤG，ＩＤR，ＩＤBの書き込みが終了する。
【０１４５】
また、第２アンド回路２２からＬレベルの第１制御信号ＳＳ1が、また、電圧制御用ナ
ンド回路２４からＬレベルの第２制御信号ＳＳ2が出力される。すると、緑用制御回路２
３Gにおいては、第１制御信号ＳＳ1はＬレベルであり、第２制御信号ＳＳ2はＬレベルと
なるので、同緑用制御回路２３Gは、Ｈレベルの緑用制御信号ＳＧを出力する。この結果
、各緑用画素６Gの消灯トランジスタＱLがオン状態になり、書き込まれたデータ信号ＩＤGに応じて各緑用有機ＥＬ素子７Gが点灯を開始する。このとき、第１制御信号生成用ナンド回路２８aの第１設定電圧Ｖ1は、Ｈレベルに設定される。
【０１４６】
また、このとき、第１制御用ナンド回路２３aにはＬレベルの第１制御信号ＳＳ1と、第１インバータ２５aにより反転したＬレベルの緑用制御信号ＳＧが入力されるので、第１
制御用ナンド回路２３aからはＨレベルの第３制御信号ＳＳ3が出力される。すると、赤用制御回路２３Rにおいては、第３制御信号ＳＳ3がＨレベルであって、且つ第２制御信号ＳＳ2がＬレベルとなるので、赤用制御回路２３Rは、Ｈレベルの赤用制御信号ＳＲを出力する。この結果、各赤用画素６Rの消灯トランジスタＱLがオン状態になり、書き込まれたデータ信号ＩＤRに応じて各赤用有機ＥＬ素子７Rが点灯を開始する。このとき、第２制御信号生成用ナンド回路２８bの第２設定電圧Ｖ2は、Ｈレベルに設定される。
【０１４７】
また、このとき、第２制御用ナンド回路２３bにはＬレベルの第１制御信号ＳＳ1と、第３インバータ２５cにより反転したＬレベルの赤用制御信号ＳＲが入力されるので、第２
制御用ナンド回路２３bからはＨレベルの第４制御信号ＳＳ4が出力される。
【０１４８】
すると、青用制御回路２３Bにおいては、第４制御信号ＳＳ4がＨレベルであって、且つ第２制御信号ＳＳ2がＬレベルとなるので、青用制御回路２３Bは、Ｈレベルの青用制御信号ＳＢを出力する。この結果、各青用画素６Bの消灯トランジスタＱLがオン状態になり、
書き込まれたデータ信号ＩＤBに応じて各青用有機ＥＬ素子７Bが点灯を開始する。このとき、第３制御信号生成用ナンド回路２８cの第３設定電圧Ｖ3は、Ｈレベルに設定される。つまり、各画素６の有機ＥＬ素子7 G，7 R，7 Bはこのタイミングで一斉に発光を開始す
る。
【０１４９】
続いて、図９中、第５期間Ｔ５に入り、前段の第１シフトレジスタ１１aから、Ｌレベ
ルの第１出力信号Ｆ1aが出力され、第２シフトレジスタ１１bからＬレベルの第２出力信
号Ｆ1bが出力され、第３シフトレジスタ１１cからＨレベルの第３出力信号Ｆ1cが出力さ
れる。
【０１５０】
この状態では、第１アンド回路２０にはＬレベルの第１出力信号Ｆ1a及びＨレベルの第２出力信号Ｆ1bが入力されるので、Ｌレベルに選択信号ＳＣが出力される。また、第２アンド回路２２からＬレベルの第１制御信号ＳＳ1が、また、電圧制御用ナンド回路２４か
らＨレベルの第２制御信号ＳＳ2が出力される。
【０１５１】
すると、緑用制御回路２３Gにおいては、Ｌレベルの第１制御信号ＳＳ1及びＨレベルの第２制御信号ＳＳ2が入力されているので、Ｈレベルの緑用制御信号ＳＧを出力し続ける
。この結果、各緑用有機ＥＬ素子７Gは点灯保持する。
【０１５２】
このとき、第１制御用ナンド回路２３aにはＬレベルの第１制御信号ＳＳ1と、第１インバータ２５aにより反転したＬレベルの緑用制御信号ＳＧが入力されるので、第１制御用
ナンド回路２３aからはＨレベルの第３制御信号ＳＳ3が出力される。
【０１５３】
赤用制御回路２３Rにおいては、Ｈレベルの第３制御信号ＳＳ3及びＨレベルの第２制御信号ＳＳ2が入力されているので、Ｈレベルの赤用制御信号ＳＲを出力し続ける。この結
果、各赤用有機ＥＬ素子７Rは点灯保持する。また、このとき、第２制御用ナンド回路２
３bにはＬレベルの第１制御信号ＳＳ1と、第３インバータ２５cにより反転したＬレベル
の赤用制御信号ＳＲが入力されるので、第２制御用ナンド回路２３bからはＨレベルの第
４制御信号ＳＳ4が出力される。
【０１５４】
すると、青用制御回路２３Bにおいては、Ｈレベルの第４制御信号ＳＳ4及びＨレベルの第２制御信号ＳＳ2が入力されているので、Ｈレベルの青用制御信号ＳＢを出力し続ける
。この結果、各青用有機ＥＬ素子７Bは点灯保持する。
【０１５５】
その後、暫くして、図9中第６期間Ｔ６に入り、前段の第１シフトレジスタ１１aから、Ｈレベルの第１出力信号Ｆ1aが出力され、第２シフトレジスタ１１bからＬレベルの第２
出力信号Ｆ1bが出力され、第３シフトレジスタ１１cからＬレベルの第３出力信号Ｆ1cが
出力される。
【０１５６】
この状態では、第１アンド回路２０にはＨレベルの第１出力信号Ｆ1a及びＬレベルの第２出力信号Ｆ1bが入力されるので、Ｌレベルに選択信号ＳＣが出力される。また、第２アンド回路２２からＬレベルの第１制御信号ＳＳ1が、また、電圧制御用ナンド回路２４か
らＨレベルの第２制御信号ＳＳ2が出力される。すると、緑用制御回路２３Gにおいては、Ｌレベルの第１制御信号ＳＳ1及びＨレベルの第２制御信号ＳＳ2が入力されるので、Ｈレベルの緑用制御信号ＳＧを出力し続ける。この結果、各緑用有機ＥＬ素子７Gは、引き続
き、発光し続ける。このとき、第１制御用ナンド回路２３aにはＬレベルの第１制御信号
ＳＳ1と、第１インバータ２５aにより反転したＬレベルの緑用制御信号ＳＧが入力されるので、第１制御用ナンド回路２３aからはＨレベルの第３制御信号ＳＳ3が出力される。
【０１５７】
すると、赤用制御回路２３Rにおいては、Ｈレベルの第３制御信号ＳＳ3及びＨレベルの
第２制御信号ＳＳ2が入力されるので、Ｈレベルの赤用制御信号ＳＲを出力し続ける。こ
の結果、各赤用有機ＥＬ素子７Rが発光し続ける。このとき、第２制御用ナンド回路２３bにはＬレベルの第１制御信号ＳＳ1と、第１インバータ２５aにより反転したＬレベルの緑用制御信号ＳＧが入力されるので、第２制御用ナンド回路２３bからはＨレベルの第４制
御信号ＳＳ4が出力される。すると、青用制御回路２３Bにおいては、Ｈレベルの第４制御信号ＳＳ4及びＨレベルの第２制御信号ＳＳ2が入力されるので、Ｈレベルの青用制御信号ＳＢを出力し続ける。この結果、引き続き、各青用有機ＥＬ素子７Bは発光し続ける。
【０１５８】
その後、図９中、第７期間Ｔ７に入り、前段の第１シフトレジスタ１１aから、Ｌレベ
ルの第１出力信号Ｆ1aが出力され、第２シフトレジスタ１１bからＨレベルの第２出力信
号Ｆ1bが出力され、第３シフトレジスタ１１cからＬレベルの第３出力信号Ｆ1cが出力さ
れる。
【０１５９】
この状態では、第１アンド回路２０にはＬレベルの第１出力信号Ｆ1a及びＨレベルの第２出力信号Ｆ1bが入力されるので、Ｌレベルに選択信号ＳＣが出力される。また、第２アンド回路２２からＨレベルの第１制御信号ＳＳ1が、また、電圧制御用ナンド回路２４か
らＨレベルの第２制御信号ＳＳ2が出力される。
【０１６０】
すると、まず、緑用制御回路２３Gにおいては、第１制御用トランスミッションゲート
２７aがハイインピーダンス状態になり、第１制御用トランスミッションゲート２７aと緑用画素６GにＨレベルの緑用制御信号ＳＧが出力され続け、その結果、各緑用有機ＥＬ素
子７Gが発光し続ける。
【０１６１】
このとき、第１制御信号生成用ナンド回路２８aには、制御用インバータ２６を介して
Ｌレベルの電圧信号が入力されることで同第１制御信号生成用ナンド回路２８aからの出
力する電圧信号がＬレベルからＨレベルに反転し、その結果、制御用クロックドインバータ２９aを介してＬレベルの電圧信号が第１制御用トランスミッションゲート２７aに供給される。また、このとき、第１制御用ナンド回路２３aにはＨレベルの第１制御信号ＳＳ1と、第１インバータ２５aにより反転したＬレベルの緑用制御信号ＳＧが入力されるので
、第１制御用ナンド回路２３aからはＨレベルの第３制御信号ＳＳ3が出力される。
【０１６２】
すると、赤用制御回路２３Rにおいては、Ｈレベルの第３制御信号ＳＳ3及びＨレベルの第２制御信号ＳＳ2が入力されるので、Ｈレベルの赤用制御信号ＳＲを出力し続ける。こ
の結果、各赤用有機ＥＬ素子７Rが発光し続ける。このとき、第２制御用ナンド回路２３bにはＨレベルの第１制御信号ＳＳ1と、第１インバータ２５aにより反転したＬレベルの緑用制御信号ＳＧが入力されるので、第２制御用ナンド回路２３bからはＨレベルの第４制
御信号ＳＳ4が出力される。
【０１６３】
すると、青用制御回路２３Bにおいては、Ｈレベルの第４制御信号ＳＳ4及びＨレベルの第２制御信号ＳＳ2が入力されるので、Ｈレベルの青用制御信号ＳＢを出力し続ける。こ
の結果、引き続き、各青用有機ＥＬ素子７Bは発光し続ける。
【０１６４】
続いて、図９中、第８期間Ｔ８に入り、前段の第１シフトレジスタ１１aから、Ｌレベ
ルの第１出力信号Ｆ1aが出力され、第２シフトレジスタ１１bからＬレベルの第２出力信
号Ｆ1bが出力され、第３シフトレジスタ１１cからＨレベルの第３出力信号Ｆ1cが出力さ
れる。
【０１６５】
この状態では、第１アンド回路２０には、ともにＬレベルの第１及び第２出力信号Ｆ1a，Ｆ1bが入力されるので、Ｌレベルに選択信号ＳＣが出力される。また、第２アンド回路２２からＬレベルの第１制御信号ＳＳ1が、また、電圧制御用ナンド回路２４からＨレベ
ルの第２制御信号ＳＳ2が出力される。
【０１６６】
すると、まず、緑用制御回路２３Gにおいては、Ｌレベルの第１制御信号ＳＳ1が入力されるので、第１制御用トランスミッションゲート２７aが導通状態になり、Ｌレベルの緑
用制御信号ＳＧを出力する。その結果、各緑用画素６Gの消灯トランジスタＱLがオフ状態になり、各緑用有機ＥＬ素子７Gは消灯する。また、このとき、第１制御用ナンド回路２
３aにはＬレベルの第１制御信号ＳＳ1と、第１インバータ２５aにより反転したＨレベル
の緑用制御信号ＳＧが入力されるので、第１制御用ナンド回路２３aからはＨレベルの第
３制御信号ＳＳ3が出力される。
【０１６７】
すると、赤用制御回路２３Rにおいては、Ｈレベルの第３制御信号ＳＳ3及びＨレベルの第２制御信号ＳＳ2が入力されるので、引き続き、Ｈレベルの赤用制御信号ＳＲを出力し
続ける。この結果、各赤用有機ＥＬ素子７Rが発光し続ける。また、このとき、第２制御
用ナンド回路２３bにはＬレベルの第１制御信号ＳＳ1と、第３インバータ２５cにより反
転したＬレベルの赤用制御信号ＳＲが入力されるので、第２制御用ナンド回路２３bから
はＨレベルの第４制御信号ＳＳ4が出力される。
【０１６８】
すると、青用制御回路２３Bにおいては、Ｈレベルの第４制御信号ＳＳ4及びＨレベルの第２制御信号ＳＳ2が入力されるので、引き続き、Ｈレベルの青用制御信号ＳＢが出力さ
れ各青用有機ＥＬ素子７Bは発光し続ける。
【０１６９】
そして、その後は、前段の第１シフトレジスタ１１aから、Ｌレベルの第１出力信号Ｆ1aが出力され、第２シフトレジスタ１１bからＬレベルの第２出力信号Ｆ1bが出力され、第３シフトレジスタ１１cからＬレベルの第３出力信号Ｆ1cが出力される。そして、前記と
同様にして、各緑用有機ＥＬ素子７Gは消灯保持し、各赤用有機ＥＬ素子７R及び各青用有機ＥＬ素子７Bはそれぞれ発光し続ける。
【０１７０】
その後、暫くして、図９中、第９期間Ｔ９に入り、前段の第１シフトレジスタ１１aか
ら、Ｈレベルの第１出力信号Ｆ1aが出力され、第２シフトレジスタ１１bからＬレベルの
第２出力信号Ｆ1bが出力され、第３シフトレジスタ１１cからＬレベルの第３出力信号Ｆ1cが出力される。この状態では、第１アンド回路２０にはＨレベルの第１出力信号Ｆ1a及
びＬレベルの第２出力信号Ｆ1bが入力されるので、Ｌレベルに選択信号ＳＣが出力される。また、第２アンド回路２２からＬレベルの第１制御信号ＳＳ1が、また、電圧制御用ナ
ンド回路２４からＨレベルの第２制御信号ＳＳ2が出力される。
【０１７１】
すると、緑用制御回路２３Gにおいては、Ｌレベルの第１制御信号ＳＳ1及びＨレベルの第２制御信号ＳＳ2が入力されるので、Ｌレベルの緑用制御信号ＳＧを出力し続ける。こ
の結果、引き続き、各緑用有機ＥＬ素子７Gは消灯し続ける。このとき、第１制御用ナン
ド回路２３aにはＬレベルの第１制御信号ＳＳ1と、第１インバータ２５aにより反転した
Ｈレベルの緑用制御信号ＳＧが入力されるので、第１制御用ナンド回路２３aからはＨレ
ベルの第３制御信号ＳＳ3が出力される。
【０１７２】
すると、赤用制御回路２３Rにおいては、Ｈレベルの第３制御信号ＳＳ3及びＨレベルの第２制御信号ＳＳ2が入力されるので、Ｈレベルの赤用制御信号ＳＲを出力し続ける。こ
の結果、引き続き、各赤用有機ＥＬ素子７Rが発光し続ける。また、このとき、第２制御
用ナンド回路２３bにはＬレベルの第１制御信号ＳＳ1と、第３インバータ２５cにより反
転したＬレベルの赤用制御信号ＳＲが入力されるので、第２制御用ナンド回路２３bから
はＨレベルの第４制御信号ＳＳ4が出力される。
【０１７３】
すると、青用制御回路２３Bにおいては、Ｈレベルの第４制御信号ＳＳ4及びＨレベルの
第２制御信号ＳＳ2が入力されるので、Ｈレベルの青用制御信号ＳＢを出力し続ける。こ
の結果、引き続き、各青用有機ＥＬ素子７Bは発光し続ける。
【０１７４】
続いて、図9中第１０期間Ｔ１０に入り、前段の第１シフトレジスタ１１aから、Ｌレベルの第１出力信号Ｆ1aが出力され、第２シフトレジスタ１１bからＨレベルの第２出力信
号Ｆ1bが出力され、第３シフトレジスタ１１cからＬレベルの第３出力信号Ｆ1cが出力さ
れる。
【０１７５】
この状態では、第１アンド回路２０にはＬレベルの第１出力信号Ｆ1a及びＨレベルの第２出力信号Ｆ1bが入力されるので、Ｌレベルに選択信号ＳＣが出力される。また、第２アンド回路２２からＨレベルの第１制御信号ＳＳ1が、また、電圧制御用ナンド回路２４か
らＨレベルの第２制御信号ＳＳ2が出力される。
【０１７６】
すると、緑用制御回路２３Gにおいては、第１制御用トランスミッションゲート２７aがハイインピーダンス状態になり、第１制御用トランスミッションゲート２７aと緑用画素
６GにＬレベルの緑用制御信号ＳＧが出力され続け、その結果、各緑用有機ＥＬ素子７Gが消灯し続ける。このとき、第１制御用ナンド回路２３aにはＨレベルの第１制御信号ＳＳ1と、第１インバータ２５aにより反転したＨレベルの緑用制御信号ＳＧが入力されるので
、第１制御用ナンド回路２３aからはＬレベルの第３制御信号ＳＳ3が出力される。
【０１７７】
すると、赤用制御回路２３Rにおいては、第２制御用トランスミッションゲート２７bがハイインピーダンス状態になり、赤用画素６RにＨレベルの赤用制御信号ＳＲが出力され
続け、その結果、各赤用有機ＥＬ素子７Rが発光し続ける。このとき、第２制御用ナンド
回路２３bにはＨレベルの第１制御信号ＳＳ1と、第３インバータ２５cにより反転したＬ
レベルの赤用制御信号ＳＲが入力されるので、第２制御用ナンド回路２３bからはＨレベ
ルの第４制御信号ＳＳ4が出力される。
【０１７８】
また、青用制御回路２３Bにおいては、Ｈレベルの第４制御信号ＳＳ4及びＨレベルの第２制御信号ＳＳ2が入力されているので、引き続き、各青用有機ＥＬ素子７Bは発光し続ける。
【０１７９】
続いて、図９中、第１１期間Ｔ１１に入り、前段の第１シフトレジスタ１１aから、Ｌ
レベルの第１出力信号Ｆ1aが出力され、第２シフトレジスタ１１bからＬレベルの第２出
力信号Ｆ1bが出力され、第３シフトレジスタ１１cからＨレベルの第３出力信号Ｆ1cが出
力される。
【０１８０】
この状態では、第１アンド回路２０には、ともにＬレベルの第１及び第２出力信号Ｆ1a，Ｆ1bが入力されるので、Ｌレベルに選択信号ＳＣが出力される。また、第２アンド回路２２からＬレベルの第１制御信号ＳＳ1が、また、電圧制御用ナンド回路２４からＨレベ
ルの第２制御信号ＳＳ2が出力される。
【０１８１】
すると、まず、緑用制御回路２３Gにおいては、第１制御用トランスミッションゲート
２７aが導通状態になり、Ｌレベルの緑用制御信号ＳＧが出力される。その結果、各緑用
有機ＥＬ素子７Gは消灯し続ける。このとき、第１制御用ナンド回路２３aにはＬレベルの第１制御信号ＳＳ1と、第１インバータ２５aにより反転したＨレベルの緑用制御信号ＳＧが入力されるので、第１制御用ナンド回路２３aからはＨレベルの第３制御信号ＳＳ3が出力される。
【０１８２】
すると、赤用制御回路２３Rにおいては、第２制御用トランスミッションゲート２７bが導通状態になり、Ｌレベルの赤用制御信号ＳＲが出力される。その結果、各赤用有機ＥＬ
素子７Rが消灯する。このとき、第２制御用ナンド回路２３bにはＬレベルの第１制御信号ＳＳ1と、第３インバータ２５cにより反転したＨレベルの赤用制御信号ＳＲが入力されるので、第２制御用ナンド回路２３bからはＨレベルの第４制御信号ＳＳ4が出力される。
【０１８３】
すると、青用制御回路２３Bにおいては、Ｈレベルの第４制御信号ＳＳ4及びＨレベルの第２制御信号ＳＳ2が入力されるので、引き続き、Ｈレベルの青用制御信号ＳＢが出力さ
れ、その結果、各青用有機ＥＬ素子７Bは発光し続ける。
【０１８４】
そして、その後は、前段の第１シフトレジスタ１１aから、Ｌレベルの第１出力信号Ｆ1aが出力され、第２シフトレジスタ１１bからＬレベルの第２出力信号Ｆ1bが出力され、第３シフトレジスタ１１cからＬレベルの第３出力信号Ｆ1cが出力される。そして、前記と
同様にして、各緑用有機ＥＬ素子７G及び各赤用有機ＥＬ素子７Rはそれぞれ消灯保持し、各青用有機ＥＬ素子７Bは発光し続ける。
【０１８５】
その後、暫くして、図９中、第１２期間Ｔ１２に入り、前段の第１シフトレジスタ１１aから、Ｈレベルの第１出力信号Ｆ1aが出力され、第２シフトレジスタ１１bからＬレベルの第２出力信号Ｆ1bが出力され、第３シフトレジスタ１１cからＬレベルの第３出力信号
Ｆ1cが出力される。
【０１８６】
この状態では、第１アンド回路２０にはＨレベルの第１出力信号Ｆ1a及びＬレベルの第２出力信号Ｆ1bが入力されるので、Ｌレベルに選択信号ＳＣが出力される。
すると、第２アンド回路２２からＬレベルの第１制御信号ＳＳ1が、また、電圧制御用
ナンド回路２４からＨレベルの第２制御信号ＳＳ2が出力される。
【０１８７】
すると、まず、緑用制御回路２３Gにおいては、Ｌレベルの第１制御信号ＳＳ1及びＨレベルの第２制御信号ＳＳ2が入力されるので、Ｌレベルの緑用制御信号ＳＧが出力され、
引き続き、各緑用有機ＥＬ素子７Gが消灯し続ける。このとき、第１制御用ナンド回路２
３aにはＬレベルの第１制御信号ＳＳ1と、第１インバータ２５aにより反転したＨレベル
の緑用制御信号ＳＧが入力されるので、第１制御用ナンド回路２３aからはＨレベルの第
３制御信号ＳＳ3が出力される。
【０１８８】
すると、赤用制御回路２３Rにおいては、Ｈレベルの第３制御信号ＳＳ3及びＨレベルの第２制御信号ＳＳ2が入力されるので、Ｌレベルの赤用制御信号ＳＲが出力され、引き続
き、各赤用有機ＥＬ素子７Rが消灯し続ける。このとき、第２制御用ナンド回路２３bにはＬレベルの第１制御信号ＳＳ1と、第３インバータ２５cにより反転したＨレベルの緑用制御信号ＳＧが入力されるので、第２制御用ナンド回路２３bからはＨレベルの第４制御信
号ＳＳ4が出力される。
【０１８９】
すると、青用制御回路２３Bにおいては、Ｈレベルの第４制御信号ＳＳ4及びＨレベルの第２制御信号ＳＳ2が入力されるので、Ｌレベルの青用制御信号ＳＢが出力され、引き続
き、各青用有機ＥＬ素子７Bは発光し続ける。
【０１９０】
続いて、図９中、第１３期間Ｔ１３に入り、前段の第１シフトレジスタ１１aから、Ｌ
レベルの第１出力信号Ｆ1aが出力され、第２シフトレジスタ１１bからＨレベルの第２出
力信号Ｆ1bが出力され、第３シフトレジスタ１１cからＬレベルの第３出力信号Ｆ1cが出
力される。
【０１９１】
この状態では、第１アンド回路２０にはＬレベルの第１出力信号Ｆ1a及びＨレベルの第２出力信号Ｆ1bが入力されるので、Ｌレベルに選択信号ＳＣが出力される。また、第２アンド回路２２からＨレベルの第１制御信号ＳＳ1が、また、電圧制御用ナンド回路２４か
らＨレベルの第２制御信号ＳＳ2が出力される。
【０１９２】
すると、まず、緑用制御回路２３Gにおいては、第１制御用トランスミッションゲート
２７aがハイインピーダンス状態になり、緑用画素６GにＬレベルの緑用制御信号ＳＧが出力され続け、その結果、各緑用有機ＥＬ素子７Gが消灯し続ける。このとき、第１制御用
ナンド回路２３aにはＨレベルの第１制御信号ＳＳ1と、第１インバータ２５aにより反転
したＨレベルの緑用制御信号ＳＧが入力されるので、第１制御用ナンド回路２３aからは
Ｌレベルの第３制御信号ＳＳ3が出力される。
【０１９３】
すると、赤用制御回路２３Rにおいては、第２制御用トランスミッションゲート２７bがハイインピーダンス状態になり、赤用画素６RにＬレベルの赤用制御信号ＳＲが出力され
続け、その結果、各赤用有機ＥＬ素子７Rが消灯し続ける。このとき、第２制御用ナンド
回路２３bにはＨレベルの第１制御信号ＳＳ1と、第３インバータ２５cにより反転したＨ
レベルの緑用制御信号ＳＧが入力されるので、第２制御用ナンド回路２３bからはＬレベ
ルの第４制御信号ＳＳ4が出力される。
【０１９４】
すると、青用制御回路２３Bにおいては、第３制御用トランスミッションゲート２７cがハイインピーダンス状態になり、青用画素６BにＨレベルの青用制御信号ＳＢが出力され
続け、その結果、各青用有機ＥＬ素子７Bが発光し続ける。このとき、第４制御信号ＳＳ4はＬレベルなので第２制御信号生成用ナンド回路２８bから出力される電圧信号がＬレベ
ルからＨレベルになり、そのＨレベルの電圧信号が制御用クロックドインバータ２９aに
より反転してＬレベルになる。そして、そのＬレベルの電圧信号が第３制御用トランスミッションゲート２７cに供給される。
【０１９５】
続いて、図８中第１４期間Ｔ１４に入り、前段の第１シフトレジスタ１１aから、Ｌレ
ベルの第１出力信号Ｆ1aが出力され、第２シフトレジスタ１１bからＬレベルの第２出力
信号Ｆ1bが出力され、第３シフトレジスタ１１cからＨレベルの第３出力信号Ｆ1cが出力
される。
【０１９６】
この状態では、第１アンド回路２０には、ともにＬレベルの第１及び第２出力信号Ｆ1a，Ｆ1bが入力されるので、Ｌレベルに選択信号ＳＣが出力される。また、第２アンド回路２２からＬレベルの第１制御信号ＳＳ1が、また、電圧制御用ナンド回路２４からＨレベ
ルの第２制御信号ＳＳ2が出力される。
【０１９７】
すると、まず、緑用制御回路２３Gにおいては、第１制御用トランスミッションゲート
２７aが導通状態になり、Ｌレベルの緑用制御信号ＳＧが出力される。その結果、各緑用
有機ＥＬ素子７Gは消灯し続ける。このとき、第１制御用ナンド回路２３aにはＬレベルの第１制御信号ＳＳ1と、第１インバータ２５aにより反転したＨレベルの緑用制御信号ＳＧが入力されるので、第１制御用ナンド回路２３aからはＨレベルの第３制御信号ＳＳ3が出力される。
【０１９８】
すると、赤用制御回路２３Rにおいては、第２制御用トランスミッションゲート２７bが導通状態になり、Ｌレベルの赤用制御信号ＳＲが出力される。その結果、各赤用有機ＥＬ素子７Rは消灯し続ける。このとき、第２制御用ナンド回路２３bにはＬレベルの第１制御信号ＳＳ1と、第３インバータ２５cにより反転したＨレベルの赤用制御信号ＳＲが入力されるので、第２制御用ナンド回路２３bからはＨレベルの第３制御信号ＳＳ3が出力される。
【０１９９】
すると、青用制御回路２３Bにおいては、第３制御用トランスミッションゲート２７cが導通状態になり、Ｌレベルの青用制御信号ＳＢが出力され各青用有機ＥＬ素子７Bは消灯
する。
【０２００】
そして、その後は、前段の第１シフトレジスタ１１aから、Ｌレベルの第１出力信号Ｆ1aが出力され、第２シフトレジスタ１１bからＬレベルの第２出力信号Ｆ1bが出力され、第３シフトレジスタ１１cからＬレベルの第３出力信号Ｆ1cが出力される。そして、前記と
同様にして、各緑、赤及び青用有機ＥＬ素子7 G，7R，7Bは消灯し続ける。
【０２０１】
従って、走査線駆動回路用ＩＣ８は、スタートパルス信号ＳＰの連続パルス信号ＳＰ１のタイミングで各画素にデータ信号ＩＤG，ＩＤR，ＩＤBを書き込ませるとともに、一斉
に各有機ＥＬ素子７G，７R，７Bを発光させる。そして、その後、各単発パルス信号ＳＰ2a〜ＳＰ2cのタイミングで各緑、赤及び青用有機ＥＬ素子７G，７R，７Bを、緑用有機ＥＬ素子７G→赤用有機ＥＬ素子７R→青用有機ＥＬ素子７Bの順に消灯させる。
【０２０２】
このとき、前記したように、スタートパルス信号ＳＰは、連続パルス信号ＳＰ1の立下
りから第１単発パルス信号ＳＰ2aの立下りまでの期間Ｔa、第２単発パルス信号ＳＰ2bの
立下りまでの期間Ｔb、第３単発パルス信号ＳＰ2cの立下りまでの期間Ｔcについて、Ｔa
＝２Ｔb＝４Ｔcとなるように設定された信号である。この期間Ｔaは、前記したように、
緑用有機ＥＬ素子７Gの発光期間に相当する。同様に、期間Ｔbは赤用有機ＥＬ素子７Rの
発光期間に相当し、期間Ｔcは青用有機ＥＬ素子７Bの発光期間に相当する。
【０２０３】
ここで、前記したように、各有機ＥＬ素子７B，７R，７Gは互いにその発光効率が異な
っており、本実施形態では、緑用有機ＥＬ素子７Gの発光効率は、赤用有機ＥＬ素子７Rの発光効率に比べて２倍高く、青用有機ＥＬ素子７Bの発光効率に比べて４倍高い。輝度は
発光期間に比例するので、緑用有機ＥＬ素子７Gは、青用有機ＥＬ素子７Bの発光効率に比べて４倍高くてもその発光期間が青用有機ＥＬ素子７Bの発光期間に比べて１／４倍であ
るので、緑用有機ＥＬ素子７Gと青用有機ＥＬ素子７Bの発光効率が異なることによる発光輝度の乖離が補正される。また、同様に、緑用有機ＥＬ素子７Gは、赤用有機ＥＬ素子７Rの発光効率に比べて２倍高くてもその発光期間が赤用有機ＥＬ素子７Rの発光期間に比べ
て１／２倍であるので、緑用有機ＥＬ素子７Ｇと赤用有機ＥＬ素子７Rの発光効率が異な
ることによる発光輝度の乖離が補正される。
【０２０４】
尚、特許請求の範囲に記載のスタート信号は、例えば、本実施形態ではスタートパルス信号ＳＰに対応している。特許請求の範囲に記載の消灯タイミング信号は、例えば、本実施形態では単発パルス信号ＳＰ2a，ＳＰ2b，ＳＰ2cに対応している。特許請求の範囲に記載の電気光学装置は、例えば、本実施形態では有機ＥＬディスプレイに対応している。特許請求の範囲に記載の緑用電気光学素子は、例えば、本実施形態では緑用有機ＥＬ素子７Gに対応している。特許請求の範囲に記載の赤用電気光学素子は、例えば、本実施形態で
は赤用有機ＥＬ素子７Rに対応している。特許請求の範囲に記載の青用電気光学素子は、
例えば、本実施形態では青用有機ＥＬ素子７Bに対応している。特許請求の範囲に記載の
シフト回路は、例えば、本実施形態ではシフトレジスタ１１に対応している。
【０２０５】
上記したように、本実施形態によれば、以下の効果を有する。
（１）本実施形態によれば、クロック信号CLKの２周期分の長さを有する連続パルス信
号ＳＰaと各緑、赤及び青用有機ＥＬ素子７G，７R，７Bの発光効率に応じてそのタイミングが設定された第１〜第３単発パルス信号ＳＰ2a〜ＳＰ2cとで構成されたスタートパルス信号ＳＰを走査線駆動回路用ＩＣ８に入力した。そして、走査線駆動回路用ＩＣ８は、連続パルス信号ＳＰ１が入力されたときに、各緑、赤及び青用画素６G，６R，６Bを同期し
て選択し各画素６にデータ信号ＩＤG，ＩＤR，ＩＤBを書き込ませ、その後、単発パルス
信号ＳＰ2a〜ＳＰ2cが入力されたときに、発光効率が高い順に各緑、赤及び青用有機ＥＬ素子７G，７R，７Bを順次消灯するようにした。
【０２０６】
従って、各単発パルス信号ＳＰ2a〜ＳＰ2cのタイミングを各緑、赤及び青用有機ＥＬ素子７G，７R，７Bの発光効率に応じて調整することで、発光効率が異なることによるホワ
イトバランスのずれを補正することができる。例えば、発光効率が緑用有機ＥＬ素子７G
→赤用有機ＥＬ素子７R→青用有機ＥＬ素子７Bの順に低下している場合においては、各有機ＥＬ素子７G，７R，７Bを一斉に発光させた後に、Ｌレベルの制御信号を緑用有機ＥＬ
素子７G→赤用有機ＥＬ素子７R→青用有機ＥＬ素子７Bの順にすらして供給するようにす
る。このようにすれば、発光効率が、例えば、緑用有機ＥＬ素子７G→赤用有機ＥＬ素子
７R→青用有機ＥＬ素子７Bの順に低下している場合であっても、各緑、赤及び青用有機ＥＬ素子７G，７R，７Bの発光効率のバラツキによる、色毎の輝度のムラが無い表示品位の
優れた表示をすることができる。
【０２０７】
（２）本実施形態によれば、各デコーダ１０及びシフトレジスタ１１は、各走査線ＬＹ1〜ＬＹnに配置された緑、赤及び青用画素６G，６R，６Bに共通して使用される。従って
、各緑、赤及び青用画素６G，６R，６B毎の３種類のシフトレジスタ及びデコーダを用意
することないので、走査線駆動回路用ＩＣ８を形成する非表示部Ｑの面積を小さくして有機ＥＬディスプレイ１の挟額縁化を実現することができる。
【０２０８】
（３）本実施形態によれば、各シフトレジスタ１１は、第１及び第２制御用トランスミッションゲートＴＧ1，ＴＧ2を備え、暫くＬレベルのスタートパルス信号ＳＰを入力している期間においては、クロック信号CLKの入力を禁止してＬレベルの電圧信号（接地電位
Ｖg）が入力されるようにした。従って、暫くＬレベルのスタートパルス信号ＳＰを入力
している期間においては、クロック信号CLKは各シフトレジスタ１１には供給されないの
で、信号生成回路５の負担を低減させることができる。
【０２０９】
（３）本実施形態によれば、１本のスタートパルス信号供給線Ｌ３にスタートパルス信号ＳＰの他に、各緑、赤及び青用有機ＥＬ素子７G，７R，７Bの消灯タイミングを与える
単発パルス信号ＳＰ2a〜ＳＰ2cを合わせて供給するようにした。従って、従来のように、各緑、赤及び青用有機ＥＬ素子の消灯タイミングを供給するため配線を設ける必要はない。この結果、信号生成回路５の配線ピッチを大きくすることができる。
【０２１０】
（第２実施形態）
次に、本発明を具体化した第２実施形態を図１０及び図１１に従って説明する。この第２実施形態においては、上記第１実施形態とは異なり、赤用有機ＥＬ素子７Rの発光効率
と青用有機ＥＬ素子７Bの発光効率が等しく、且つ緑用有機ＥＬ素子７Gの発光効率が、各赤及び青用有機ＥＬ素子７R，７Ｂの発光効率に比べて２倍高い場合を想定している。そ
して、図１０に示すように、本実施形態の各デコーダ１０には、緑用制御回路２３Gと青
用制御回路２３Bとで構成されており、赤用制御回路２３Rが設けられていない。そして、各走査線上の各緑用画素６G、赤用画素６R及び青用画素６Bのうちの２種類の画素である
赤用画素６Rと青用画素６Bとが共通の消灯制御線ＬＹ1G〜ＬＹnGに接続され、赤及び青用画素６R，６Bはその消灯制御線ＬＹ1G〜ＬＹnGを介して青用制御回路２３Bに接続されて
いる。
【０２１１】
そして、信号生成回路５は、図１１に示すように、１フレーム（１Ｆ）周期において、最初に出力される連続パルス信号ＳＰ1と、同連続パルス信号ＳＰ1後に出力される２つの単発パルス信号ＳＰ2a，ＳＰ2bとから構成されるスタートパルス信号ＳＰを出力する。第１単発パルス信号ＳＰ2aは、緑用有機ＥＬ素子７Ｇを消灯させる旨の信号であり、第２単発パルス信号ＳＰ2bは、赤及び青用有機ＥＬ素子７Ｒ，７Ｂを消灯させる旨の信号である。
【０２１２】
本実施形態では、スタートパルス信号ＳＰは、連続パルス信号ＳＰ1の立下りから第１
単発パルス信号ＳＰ2aの立下りまでの期間Ｔa、連続パルス信号ＳＰ1の立下りから第２単発パルス信号ＳＰ2bの立下りまでの期間Ｔbについて以下の関係が成り立つ。
【０２１３】
Ｔa＝２Ｔb
これにより、緑用有機ＥＬ素子７Gの発光期間を、赤及び青用有機ＥＬ素子７R，７Bの
発光期間の１／２倍としている。また、本実施形態のスタートパルス信号ＳＰは、連続パルス信号ＳＰ1の立下りから第２単発パルス信号ＳＰ2bの立下りまでの期間Ｔbは、１フレーム（１Ｆ）期間の７０％となる信号である。
【０２１４】
そして、上記第１実施形態と同様にして、走査線駆動回路用ＩＣ８は、スタートパルス信号ＳＰの連続パルス信号ＳＰaのタイミングで各画素にデータ信号ＩＤG，ＩＤR，ＩＤBを書き込ませるとともに、一斉に各有機ＥＬ素子７Ｇ，７Ｒ，７Ｂを発光させる。そして、その後、各単発パルス信号ＳＰ2a，ＳＰ2bのタイミングで各緑、赤及び青用有機ＥＬ素子７G，７R，７Bは、緑用有機ＥＬ素子７G→赤及び青用有機ＥＬ素子７R，７Bの順に消灯される。
【０２１５】
従って、緑用有機ＥＬ素子７Gは、赤及び青用有機ＥＬ素子７R，７Bの発光効率に比べ
て２倍高くてもその発光期間が赤及び青用有機ＥＬ素子７R，７Bの発光期間に比べて１／２倍であるので、各緑、赤及び青用有機ＥＬ素子７G，７R，７Bの発光効率が異なること
によるホワイトバランスのずれを補正することができる。
【０２１６】
（第３実施形態）
次に、第１及び第２実施形態で説明した電気光学装置としての有機ＥＬディスプレイ１の電子機器の適用について図１２に従って説明する。有機ＥＬディスプレイ１は、モバイル型のパーソナルコンピュータ、携帯電話、デジタルカメラ等種々の電子機器に適用できる。
【０２１７】
図１２は、大型テレビ４０の斜視図である。この大型テレビ４０は、有機ＥＬディスプレイ１を搭載した大型テレビ用の表示ユニット４１と、スピーカー４２と、複数の操作ボタン４３とを備えている。この場合でも、有機ＥＬディスプレイ１を用いた表示ユニット４１は、輝度ムラの無い優れた画像表示ができる大型テレビを提供できる。
【０２１８】
尚、発明の実施形態は、上記実施形態に限定されるものではなく、以下のように実施してもよい。
○上記第１実施形態では、緑用有機ＥＬ素子７G、赤用有機ＥＬ素子７R及び青用有機ＥＬ素子７Bはそれぞれ異なった発光効率を有していたが、そうではなく、緑用有機ＥＬ素
子７G、赤用有機ＥＬ素子７R及び青用有機ＥＬ素子７Bの発光効率が全て同じであっても
よい。この場合、デコーダ回路は、前記走査線上の各前記緑用画素、前記赤用画素及び前記青用画素にそれぞれ同じ消灯タイミング信号を生成するものであってもよい。この場合、上記第１実施形態と同様にして、走査線駆動回路用ＩＣ８は、スタートパルス信号ＳＰの連続パルス信号ＳＰaのタイミングで各画素にデータ信号ＩＤG，ＩＤR，ＩＤBを書き込ませるとともに、一斉に各有機ＥＬ素子７G，７R，７Bを発光させる。そして、その後、
全て同じタイミングで単発パルス信号ＳＰ2a，ＳＰ2b，ＳＰ2cを出力する。この結果、各緑、赤及び青用有機ＥＬ素子７G，７R，７Bは、同期して消灯される。従って、緑、赤及
び青用有機ＥＬ素子７G，７R，７Bの各発光効率が、全て同じである場合、各発光効率に
起因するホワイトバランスを崩すことなく制御することができる。
【０２１９】
○上記第１及び第２実施形態では、電気光学素子として有機ＥＬ素子７G，７R，７Bに
適応したが、これに限定されるものではなく、たとえば、発光ダイオードであっても上記
各実施形態と同様な効果が得られる。
【０２２０】
○上記実施形態では、有機ＥＬ素子７G，７R，７Bを備えた有機ＥＬディスプレイに具
体化して好適な効果を得たが、有機ＥＬディスプレイ以外の例えばデジタルマイクロミラーデバイス（ＤＭＤ）を用いたディスプレイ、電子放出素子を用いたディスプレイ（ＦＥＤ）やＳＥＤ（Surface−Conduction  Electron−Emitter  Display）に具体化してもよ
い。また。電子写真装置の光ヘッド（光プリンタのヘッドやデジタルラボのヘッド）に使用してもよい。
【図面の簡単な説明】
【０２２１】
【図１】有機ＥＬディスプレイの上面図である。
【図２】有機ＥＬディスプレイの電気的構成を説明するための図である。
【図３】画素を説明するための図である。
【図４】本発明の走査線駆動回路を説明するための図である。
【図５】シフトレジスタを説明するための図である。
【図６】（ａ），（ｂ）は、シフトレジスタの動作を説明するための図である。
【図７】第１実施形態に係るデコーダを説明するための図である。
【図８】シフトレジスタにて出力された出力信号のタイミングチャートである。
【図９】第１実施形態に係る有機ＥＬディスプレイの動作を説明するためのタイミングチャートである。
【図１０】第２実施形態に係るデコーダを説明するための図である。
【図１１】第２実施形態に係る有機ＥＬディスプレイの動作を説明するためのタイミングチャートである。
【図１２】第３実施形態に係る電子機器としての大型テレビの斜視図である。
【符号の説明】
【０２２２】
CLK…クロック信号、Ｉd…駆動電流、ＩＤB…青用データ信号、ＩＤG…緑用データ信号、ＩＤR…赤用データ信号、ＬＸB…青用データ線、ＬＸR…赤用データ線、ＬＸG…緑用データ線、ＬＹ1〜ＬＹn…走査線、Ｌ３…スタート信号線としてのスタートパルス信号供給線、ＳＣ…走査信号、ＳＰ…スタート信号としてのスタートパルス信号、ＳＰ2a，ＳＰ2b，ＳＰ2c…消灯タイミング信号としての単発パルス信号、１…電気光学装置としての有機ＥＬディスプレイ、６…画素、６B…青用画素、６G…緑用画素、６R…赤用画素、７G…電気光学素子としての緑用有機ＥＬ素子、７R…電気光学素子としての赤用有機ＥＬ素子、７B…電気光学素子としての青用有機ＥＬ素子、１０…デコーダ回路、１１…シフト回路としてのシフトレジスタ、４０…電子機器としての大型テレビ。
【図１】
2006113325.tif 000003
【図２】
2006113325.tif 000004
【図３】
2006113325.tif 000005
【図４】
2006113325.tif 000006
【図５】
2006113325.tif 000007
【図６】
2006113325.tif 000008
【図７】
2006113325.tif 000009
【図８】
2006113325.tif 000010
【図９】
2006113325.tif 000011
【図１０】
2006113325.tif 000012
【図１１】
2006113325.tif 000013
【図１２】
2006113325.tif 000014